(57)【要約】【課題】車両を利用するユーザの利便性を高めることができるようにする。【解決手段】携帯電話機１２は、ユーザからの指示に基づいて、スイッチ２２の機能を設定するためのスイッチ設定情報を生成し、記憶する。車両用機能設定装置２１は、携帯電話機１２と通信可能な状態にある場合、携帯電話機１２を認証し、その携帯電話機１２が登録されているとき、携帯電話機１２に記憶されているスイッチ設定情報を受信する。車両用機能設定装置２１は、受信したスイッチ設定情報に基づいて、スイッチ２２の機能の設定を制御するためのスイッチ制御情報を生成し、スイッチ２２は、そのスイッチ制御情報に基づいて、ユーザに操作されたときに動作させる車載装置を指示するための機能と、その機能の内容を示す表示を変更することで、車両を利用するユーザの利便性を高めることができるようになる。本発明は、情報処理システムに適用できる。【選択図】図１
2007251559.tif 000002
【特許請求の範囲】
【請求項１】
携帯型の電子機器と、車両に搭載された情報処理装置および入力装置からなる情報処理システムにおいて、
前記電子機器は、
ユーザからの指示に基づいて、前記入力装置の機能であって、前記車両に搭載された他の装置の動作を指示する前記機能を設定するための設定情報を生成する第１の生成手段と、
生成した前記設定情報を記憶する記憶手段と
を備え、
前記情報処理装置は、
前記電子機器と通信可能な状態にある場合、前記電子機器が正当であるかを認証する認証手段と、
前記電子機器が正当であると認証された場合、前記設定情報を取得するための要求を前記電子機器に送信する第１の送信手段と
を備え、
前記電子機器は、
前記情報処理装置から送信されてくる前記要求を受信する第１の受信手段と、
受信した前記要求に基づいて、記憶している前記設定情報を前記情報処理装置に送信する第２の送信手段と
をさらに備え、
前記情報処理装置は、
前記電子機器から送信されてくる前記設定情報を受信する第２の受信手段と、
受信した前記設定情報に基づいて、前記入力装置の前記機能の設定を制御するための制御情報を生成する第２の生成手段と
をさらに備え、
前記入力装置は、
前記情報処理装置から供給される前記制御情報に基づいて、前記機能を設定する設定手段と、
設定した前記機能の内容を示す機能情報を表示する表示手段と
を備える情報処理システム。
【請求項２】
車両に搭載された入力装置の設定を行う情報処理装置と相互に無線通信を行う携帯型の電子機器において、
ユーザからの指示に基づいて、前記入力装置の機能であって、前記車両に搭載された他の装置の動作を指示する前記機能を設定するための設定情報を生成する生成手段と、
生成した前記設定情報を記憶する記憶手段と、
前記情報処理装置と通信可能な状態にある場合、前記情報処理装置から送信されてくる前記設定情報を取得するための第１の要求を受信する第１の受信手段と、
受信した前記第１の要求に基づいて、記憶している前記設定情報を前記情報処理装置に送信する第１の送信手段と
を備える電子機器。
【請求項３】
前記ユーザからの指示に基づいて、前記設定情報を生成するためのプログラムを取得するための第２の要求を、前記プログラムを提供する他の情報処理装置に送信する第２の送信手段と、
前記他の情報処理装置から送信されてくる前記プログラムを受信する第２の受信手段と
をさらに備え、
前記生成手段は、受信した前記プログラムにより、前記設定情報を生成する
請求項２の電子機器。
【請求項４】
前記第１の送信手段は、前記ユーザからの指示に基づいて、前記情報処理装置と通信可能な状態にある場合、前記情報処理装置が設けられている車両を識別するための識別子を取得するための第３の要求を、前記情報処理装置に送信し、
前記第１の受信手段は、前記情報処理装置から送信されてくる前記識別子を受信し、
前記第２の送信手段は、前記識別子を含んでいる前記第２の要求を、前記他の情報処理装置に送信し、
前記第２の受信手段は、前記他の情報処理装置から送信されてくる前記識別子に対応した前記プログラムを受信し、
前記生成手段は、受信した前記識別子に対応したプログラムにより、前記設定情報を生成する
請求項３の電子機器。
【請求項５】
車両に搭載された入力装置の設定を行う情報処理装置と相互に無線通信を行う携帯型の電子機器の情報処理方法において、
ユーザからの指示に基づいて、前記入力装置の機能であって、前記車両に搭載された他の装置の動作を指示する前記機能を設定するための設定情報を生成する生成ステップと、
生成した前記設定情報を記憶する記憶ステップと、
前記情報処理装置と通信可能な状態にある場合、前記情報処理装置から送信されてくる前記設定情報を取得するための要求の受信を制御する受信制御ステップと、
受信した前記要求に基づいて、記憶している前記設定情報の前記情報処理装置への送信を制御する送信制御ステップと
を含む情報処理方法。
【請求項６】
車両に搭載された入力装置の設定を行う情報処理装置と相互に無線通信を行う携帯型の電子機器のコンピュータに、情報処理を行わせるプログラムにおいて、
ユーザからの指示に基づいて、前記入力装置の機能であって、前記車両に搭載された他の装置の動作を指示する前記機能を設定するための設定情報を生成する生成ステップと、
生成した前記設定情報を記憶する記憶ステップと、
前記情報処理装置と通信可能な状態にある場合、前記情報処理装置から送信されてくる前記設定情報を取得するための要求の受信を制御する受信制御ステップと、
受信した前記要求に基づいて、記憶している前記設定情報の前記情報処理装置への送信を制御する送信制御ステップと
を含むプログラム。
【請求項７】
電子機器と相互に無線通信を行うとともに、車両に搭載された入力装置の設定を行う情報処理装置において、
前記電子機器と通信可能な状態にある場合、前記電子機器が正当であるかを認証する認証手段と、
前記電子機器が正当であると認証された場合、前記入力装置の機能であって、前記車両に搭載された他の装置の動作を指示する前記機能を設定するための設定情報を取得するための第１の要求を前記電子機器に送信する送信手段と、
前記電子機器から送信されてくる前記設定情報を受信する受信手段と、
受信した前記設定情報に基づいて、前記入力装置の前記機能の設定を制御するための制御情報を生成する生成手段と
を備える情報処理装置。
【請求項８】
前記受信手段は、前記電子機器と通信可能な状態にある場合、前記電子機器から送信されてくる、自分が設けられている車両を識別するための識別子を取得するための第２の要求を受信し、
前記送信手段は、受信した前記第２の要求に基づいて、前記識別子を前記電子機器に送信する
請求項７の情報処理装置。
【請求項９】
前記認証手段は、前記ユーザの生体的特徴を示す生体情報を用いて認証を行う
請求項７の情報処理装置。
【請求項１０】
電子機器と相互に無線通信を行うとともに、車両に搭載された入力装置の設定を行う情報処理装置の情報処理方法において、
前記電子機器と通信可能な状態にある場合、前記電子機器が正当であるかを認証する認証ステップと、
前記電子機器が正当であると認証された場合、前記入力装置の機能であって、前記車両に搭載された他の装置の動作を指示する前記機能を設定するための設定情報を取得するための第１の要求の前記電子機器への送信を制御する送信制御ステップと、
前記電子機器から送信されてくる前記設定情報の受信を制御する受信制御ステップと、
受信した前記設定情報に基づいて、前記入力装置の前記機能の設定を制御するための制御情報を生成する生成ステップと
を含む情報処理方法。
【請求項１１】
電子機器と相互に無線通信を行うとともに、車両に搭載された入力装置の設定を行う情報処理装置のコンピュータに、情報処理を行わせるプログラムにおいて、
前記電子機器と通信可能な状態にある場合、前記電子機器が正当であるかを認証する認証ステップと、
前記電子機器が正当であると認証された場合、前記入力装置の機能であって、前記車両に搭載された他の装置の動作を指示する前記機能を設定するための設定情報を取得するための第１の要求の前記電子機器への送信を制御する送信制御ステップと、
前記電子機器から送信されてくる前記設定情報の受信を制御する受信制御ステップと、
受信した前記設定情報に基づいて、前記入力装置の前記機能の設定を制御するための制御情報を生成する生成ステップと
を含むプログラム。
【請求項１２】
情報処理装置から設定される、車両に搭載された入力装置において、
前記情報処理装置から供給される、前記車両に搭載された他の装置の動作を指示する機能の設定を制御するための制御情報に基づいて、前記機能を設定する設定手段と、
設定した前記機能の内容を示す機能情報を表示する表示手段と
を備える入力装置。
【請求項１３】
前記機能情報は、前記機能の内容を文字により示す情報である
請求項１２の入力装置。
【請求項１４】
ユーザからの指示に基づいて、前記機能の動作を前記他の装置に指示する指示手段をさらに備える
請求項１２の入力装置。
【請求項１５】
情報処理装置から設定される、車両に搭載された入力装置の情報処理方法において、
前記情報処理装置から供給される、前記車両に搭載された他の装置の動作を指示する機能の設定を制御するための制御情報に基づいて、前記機能を設定する設定ステップと、
設定した前記機能の内容を示す機能情報を表示する表示ステップと
を含む情報処理方法。
【請求項１６】
情報処理装置から設定される、車両に搭載された入力装置のコンピュータに、情報処理を行わせるプログラムにおいて、
前記情報処理装置から供給される、前記車両に搭載された他の装置の動作を指示する機能の設定を制御するための制御情報に基づいて、前記機能を設定する設定ステップと、
設定した前記機能の内容を示す機能情報を表示する表示ステップと
を含むプログラム。
【発明の詳細な説明】
【技術分野】
【０００１】
本発明は、情報処理システム、電子機器および方法、情報処理装置および方法、入力装置および方法、並びにプログラムに関し、特に、車両を利用するユーザの利便性を高めることができるようにした情報処理システム、電子機器および方法、情報処理装置および方法、入力装置および方法、並びにプログラムに関する。
【背景技術】
【０００２】
従来、車両にリーダライタを設けて、無線ICタグ（RFID（Radio Frequency Identification）タグ）（以下、ICタグと称する）により車両の状態情報を取得するシステムが提案されている（例えば、特許文献１参照）。また、車両の施錠解除を行うシステムも提案されている（例えば、特許文献２参照）。
【０００３】
また、近年、安全運転を支援する運転支援機能、車両の盗難や破壊などを防止するためのセキュリティ機能、IT技術を利用した情報処理機能などの発展に伴い、自動車の高機能化が進んでいる。それにともない、例えば、ナビゲーション装置、オーディオ装置、通信装置、ETC（Electronic Toll Collection）端末など、自動車に設けられる車載装置の種類が増え、また、それらの個々の装置の高機能化も著しい。
【０００４】
【特許文献１】特開２００５−７１１０５号公報
【特許文献２】特開２００６−１６８４５号公報
【発明の開示】
【発明が解決しようとする課題】
【０００５】
しかしながら、車載装置の性能が向上して各種の機能が増えることにより、その機能を操作するためのスイッチも増加し、ユーザにとっては、操作するスイッチが増えるために、利便性が損なわれてしまうという課題があった。
【０００６】
また、それらのスイッチが増加することにより車内のスペースが減ってしまい、車内のデザインが制約されてしまう可能性もある。
【０００７】
例えば、特開２００５−７１１０５号公報と特開２００６−１６８４５号公報に開示されている提案は、車両の状態情報を取得することと、施錠解除を目的としており、ユーザがスイッチを利用するときの利便性を向上させたり、車内のデザインを向上させたりすることには寄与しない。
【０００８】
本発明はこのような状況に鑑みてなされたものであり、車両を利用するユーザの利便性を高めることができるようにするものである。
【課題を解決するための手段】
【０００９】
本発明の第１の側面の情報処理システムは、携帯型の電子機器と、車両に搭載された情報処理装置および入力装置からなる情報処理システムにおいて、電子機器が、ユーザからの指示に基づいて、入力装置の機能であって、車両に搭載された他の装置の動作を指示する機能を設定するための設定情報を生成する第１の生成手段と、生成した設定情報を記憶する記憶手段とを備え、情報処理装置が、電子機器と通信可能な状態にある場合、電子機器が正当であるかを認証する認証手段と、電子機器が正当であると認証された場合、設定情報を取得するための要求を電子機器に送信する第１の送信手段とを備え、電子機器が、情報処理装置から送信されてくる要求を受信する第１の受信手段と、受信した要求に基づいて、記憶している設定情報を情報処理装置に送信する第２の送信手段とをさらに備え、情報処理装置が、電子機器から送信されてくる設定情報を受信する第２の受信手段と、受信した設定情報に基づいて、入力装置の機能の設定を制御するための制御情報を生成する第２の生成手段とをさらに備え、入力装置が、情報処理装置から供給される制御情報に基づいて、機能を設定する設定手段と、設定した機能の内容を示す機能情報を表示する表示手段とを備える。
【００１０】
本発明の第１の側面の情報処理システムにおいては、電子機器では、ユーザからの指示に基づいて、入力装置の機能であって、車両に搭載された他の装置の動作を指示する機能を設定するための設定情報が生成され、生成された設定情報が記憶され、情報処理装置では、電子機器と通信可能な状態にある場合、電子機器が正当であるかが認証され、電子機器が正当であると認証された場合、設定情報を取得するための要求が電子機器に送信され、電子機器では、情報処理装置から送信されてくる要求が受信され、受信された要求に基づいて、記憶されている設定情報が情報処理装置に送信され、情報処理装置では、電子機器から送信されてくる設定情報が受信され、受信された設定情報に基づいて、入力装置の機能の設定を制御するための制御情報が生成され、入力装置では、情報処理装置から供給される制御情報に基づいて、機能が設定され、設定された機能の内容を示す機能情報が表示される。
【００１１】
したがって、車両を利用するユーザの利便性を高めることができる。特に、ユーザが車両のスイッチを使用するときの利便性を向上させることができる。
【００１２】
電子機器は、例えば、携帯電話機、携帯情報端末、時計、コンピュータ、リモートコントローラ、ページャ、ゲーム機器、マルチメディア機器、携帯用オーディオ機器として構成される。
【００１３】
また、車両は、例えば、各種の自動車、二輪車により構成される。
【００１４】
第１の生成手段は、例えば、CPU（Central Processing Unit）などによって実行されるプログラムに含まれるスイッチ設定情報生成部により構成される。スイッチ設定情報生成部は、ユーザからの指示に基づいて、入力装置の機能であって、車両に搭載された他の装置の動作を指示する機能を設定するための設定情報を生成する。
【００１５】
記憶手段は、例えば、不揮発性の半導体メモリやハードディスクなどで構成されるスイッチ設定情報記憶部により構成される。スイッチ設定情報記憶部は、生成した設定情報を記憶する。
【００１６】
これにより、携帯電話機は、例えば、ユーザの指示に基づいて、車両のスイッチの機能の設定に関係する設定情報を記憶することができる。
【００１７】
情報処理装置は、例えば、車両に搭載される車両用機能設定装置として構成される。
【００１８】
認証手段は、例えば、CPUなどによって実行されるプログラムに含まれる認証処理部により構成される。認証処理部は、電子機器と通信可能な状態にある場合、電子機器が正当であるかを認証する。
【００１９】
第１の送信手段は、例えば、リーダライタとして構成される。リーダライタは、電子機器が正当であると認証された場合、設定情報を取得するための要求を電子機器に送信する。
【００２０】
これにより、登録されている携帯電話機と通信可能になった場合、設定情報を受信するので、より安全に設定情報に受信することができる。
【００２１】
第１の受信手段は、例えば、ICタグとして構成される。ICタグは、情報処理装置から送信されてくる要求を受信する。また、第２の送信手段は、例えば、ICタグとして構成される。ICタグは、受信した要求に基づいて、記憶している設定情報を情報処理装置に送信する。
【００２２】
これにより、例えば、携帯電話機を車両用機能設定装置に翳すだけで、携帯電話機で設定されたスイッチの設定情報を、車両用機能設定装置に送信することができる。
【００２３】
第２の受信手段は、例えば、リーダライタとして構成される。リーダライタは、電子機器から送信されてくる設定情報を受信する。
【００２４】
第２の生成手段は、例えば、CPUなどによって実行されるプログラムに含まれるスイッチ制御情報生成部により構成される。スイッチ制御情報生成部は、受信した設定情報に基づいて、入力装置の機能の設定を制御するための制御情報を生成する。
【００２５】
これにより、車両用機能設定装置は、携帯電話機により設定された機能に関する情報を受信し、その機能を、スイッチに設定することができる。
【００２６】
入力装置は、例えば、車両に搭載された他の装置の動作を指示するためのスイッチとして構成される。
【００２７】
設定手段は、例えば、CPUなどによって実行されるプログラムに含まれるスイッチ機能設定部により構成される。スイッチ機能設定部は、情報処理装置から供給される制御情報に基づいて、機能を設定する。
【００２８】
表示手段は、例えば、LCD（Liquid Crystal Display）などから構成される。LCDは、設定した機能の内容を示す機能情報を表示する。
【００２９】
これにより、例えば、スイッチの各種の機能と、その機能を示す画面の表示を変更することで、ユーザの利便性を向上させることができる。
【００３０】
本発明の第２の側面の電子機器は、車両に搭載された入力装置の設定を行う情報処理装置と相互に無線通信を行う携帯型の電子機器において、ユーザからの指示に基づいて、入力装置の機能であって、車両に搭載された他の装置の動作を指示する機能を設定するための設定情報を生成する生成手段と、生成した設定情報を記憶する記憶手段と、情報処理装置と通信可能な状態にある場合、情報処理装置から送信されてくる設定情報を取得するための第１の要求を受信する第１の受信手段と、受信した第１の要求に基づいて、記憶している設定情報を情報処理装置に送信する第１の送信手段とを備える。
【００３１】
本発明の第２の側面の電子機器においては、ユーザからの指示に基づいて、入力装置の機能であって、車両に搭載された他の装置の動作を指示する機能を設定するための設定情報が生成され、生成された設定情報が記憶され、情報処理装置と通信可能な状態にある場合、情報処理装置から送信されてくる設定情報を取得するための第１の要求が受信され、受信した第１の要求に基づいて、記憶されている設定情報が情報処理装置に送信される。
【００３２】
したがって、車両を利用するユーザの利便性を高めることができる。特に、ユーザの指示に基づいて、車両のスイッチの設定を行うことで、ユーザの利便性を向上させることができる。
【００３３】
生成手段は、例えば、CPUなどによって実行されるプログラムに含まれるスイッチ設定情報生成部により構成される。スイッチ設定情報生成部は、ユーザからの指示に基づいて、入力装置の機能であって、車両に搭載された他の装置の動作を指示する機能を設定するための設定情報を生成する。
【００３４】
記憶手段は、例えば、不揮発性の半導体メモリやハードディスクなどで構成されるスイッチ設定情報記憶部により構成される。スイッチ設定情報記憶部は、生成した設定情報を記憶する。
【００３５】
これにより、携帯電話機は、例えば、ユーザの指示に基づいて、車両のスイッチの機能の設定に関係する設定情報を記憶することができる。
【００３６】
第１の受信手段は、例えば、ICタグとして構成される。ICタグは、情報処理装置と通信可能な状態にある場合、情報処理装置から送信されてくる設定情報を取得するための第１の要求を受信する。また、第１の送信手段は、例えば、ICタグとして構成される。ICタグは、受信した第１の要求に基づいて、記憶している設定情報を情報処理装置に送信する。
【００３７】
これにより、例えば、携帯電話機を車両用機能設定装置に翳すだけで、携帯電話機で設定されたスイッチの設定情報を、車両用機能設定装置に送信することができる。
【００３８】
ユーザからの指示に基づいて、設定情報を生成するためのプログラムを取得するための第２の要求を、プログラムを提供する他の情報処理装置に送信する第２の送信手段と、他の情報処理装置から送信されてくるプログラムを受信する第２の受信手段とをさらに設けさせるようにすることができ、生成手段には、受信したプログラムにより、設定情報を生成させるようにすることができる。
【００３９】
第１の送信手段には、ユーザからの指示に基づいて、情報処理装置と通信可能な状態にある場合、情報処理装置が設けられている車両を識別するための識別子を取得するための第３の要求を、情報処理装置に送信させ、第１の受信手段には、情報処理装置から送信されてくる識別子を受信させ、第２の送信手段は、識別子を含んでいる第２の要求を、他の情報処理装置に送信させ、第２の受信手段は、他の情報処理装置から送信されてくる識別子に対応したプログラムを受信させ、生成手段は、受信した識別子に対応したプログラムにより、設定情報を生成させるようにすることができる。
【００４０】
これにより、携帯電話機は、ある車両の車種に対応したプログラムを実行して、ユーザに対して、その車種のスイッチの配置にあった設定画面を提示することができる。
【００４１】
本発明の第２の側面の情報処理方法は、車両に搭載された入力装置の設定を行う情報処理装置と相互に無線通信を行う携帯型の電子機器の情報処理方法において、ユーザからの指示に基づいて、入力装置の機能であって、車両に搭載された他の装置の動作を指示する機能を設定するための設定情報を生成する生成ステップと、生成した設定情報を記憶する記憶ステップと、情報処理装置と通信可能な状態にある場合、情報処理装置から送信されてくる設定情報を取得するための要求の受信を制御する受信制御ステップと、受信した要求に基づいて、記憶している設定情報の情報処理装置への送信を制御する送信制御ステップとを含む。
【００４２】
本発明の第２の側面の情報処理方法においては、ユーザからの指示に基づいて、入力装置の機能であって、車両に搭載された他の装置の動作を指示する機能を設定するための設定情報が生成され、生成された設定情報が記憶され、情報処理装置と通信可能な状態にある場合、情報処理装置から送信されてくる設定情報を取得するための要求の受信が制御され、受信した要求に基づいて、記憶している設定情報の情報処理装置への送信が制御される。
【００４３】
したがって、車両を利用するユーザの利便性を高めることができる。特に、ユーザの指示に基づいて、車両のスイッチの設定を行うことで、ユーザの利便性を向上させることができる。
【００４４】
この生成ステップは、ユーザからの指示に基づいて、入力装置の機能であって、車両に搭載された他の装置の動作を指示する機能を設定するための設定情報を生成する生成ステップにより構成され、記憶ステップは、生成した設定情報を記憶する記憶ステップにより構成され、受信制御ステップは、情報処理装置と通信可能な状態にある場合、情報処理装置から送信されてくる設定情報を取得するための要求の受信を制御する受信制御ステップにより構成され、送信制御ステップは、受信した要求に基づいて、記憶している設定情報の情報処理装置への送信を制御する送信制御ステップにより構成される。
【００４５】
本発明の第２の側面のプログラムは、車両に搭載された入力装置の設定を行う情報処理装置と相互に無線通信を行う携帯型の電子機器の情報処理方法において、ユーザからの指示に基づいて、入力装置の機能であって、車両に搭載された他の装置の動作を指示する機能を設定するための設定情報を生成する生成ステップと、生成した設定情報を記憶する記憶ステップと、情報処理装置と通信可能な状態にある場合、情報処理装置から送信されてくる設定情報を取得するための要求の受信を制御する受信制御ステップと、受信した要求に基づいて、記憶している設定情報の情報処理装置への送信を制御する送信制御ステップとを含む。
【００４６】
本発明の第３の側面の情報処理装置は、電子機器と相互に無線通信を行うとともに、車両に搭載された入力装置の設定を行う情報処理装置において、電子機器と通信可能な状態にある場合、電子機器が正当であるかを認証する認証手段と、電子機器が正当であると認証された場合、入力装置の機能であって、車両に搭載された他の装置の動作を指示する機能を設定するための設定情報を取得するための第１の要求を電子機器に送信する送信手段と、電子機器から送信されてくる設定情報を受信する受信手段と、受信した設定情報に基づいて、入力装置の機能の設定を制御するための制御情報を生成する生成手段とを備える。
【００４７】
本発明の第３の側面の情報処理装置においては、電子機器と通信可能な状態にある場合、電子機器が正当であるかが認証され、電子機器が正当であると認証された場合、入力装置の機能であって、車両に搭載された他の装置の動作を指示する機能を設定するための設定情報を取得するための第１の要求が電子機器に送信され、電子機器から送信されてくる設定情報が受信され、受信した設定情報に基づいて、入力装置の機能の設定を制御するための制御情報が生成される。
【００４８】
したがって、車両を利用するユーザの利便性を高めることができる。特に、車両に設けられたスイッチの機能と、その機能を示す画面の表示を設定することで、ユーザの利便性を向上させることができる。
【００４９】
認証手段は、例えば、CPUなどによって実行されるプログラムに含まれる認証処理部により構成される。認証処理部は、電子機器と通信可能な状態にある場合、電子機器が正当であるかを認証する。
【００５０】
送信手段は、例えば、リーダライタとして構成する。リーダライタは、電子機器が正当であると認証された場合、入力装置の機能であって、車両に搭載された他の装置の動作を指示する機能を設定するための設定情報を取得するための第１の要求を電子機器に送信する。
【００５１】
これにより、登録されている携帯電話機と通信可能になった場合、設定情報を受信するので、より安全に設定情報に受信することができる。
【００５２】
受信手段は、例えば、リーダライタとして構成される。リーダライタは、電子機器から送信されてくる設定情報を受信する。
【００５３】
生成手段は、例えば、CPUなどによって実行されるプログラムに含まれるスイッチ制御情報生成部により構成される。スイッチ制御情報生成部は、受信した設定情報に基づいて、入力装置の機能の設定を制御するための制御情報を生成する。
【００５４】
これにより、車両用機能設定装置は、携帯電話機により設定された機能に関する情報を受信し、その機能を、スイッチに設定することができる。
【００５５】
受信手段には、電子機器と通信可能な状態にある場合、電子機器から送信されてくる、自分が設けられている車両を識別するための識別子を取得するための第２の要求を受信させ、送信手段には、受信した第２の要求に基づいて、識別子を電子機器に送信させるようにすることができる。
【００５６】
これにより、車両用機能設定装置は、携帯電話機に対して、ある車両の車種に対応したプログラムを実行させて、その車種のスイッチの配置にあった設定画面を、ユーザに提示させることができる。
【００５７】
認証手段には、ユーザの生体的特徴を示す生体情報を用いて認証を行うようにすることができる。
【００５８】
これにより、より確実に認証の処理を行うことができる。
【００５９】
本発明の第３の側面の情報処理方法は、電子機器と相互に無線通信を行うとともに、車両に搭載された入力装置の設定を行う情報処理装置の情報処理方法において、電子機器と通信可能な状態にある場合、電子機器が正当であるかを認証する認証ステップと、電子機器が正当であると認証された場合、入力装置の機能であって、車両に搭載された他の装置の動作を指示する機能を設定するための設定情報を取得するための第１の要求の電子機器への送信を制御する送信制御ステップと、電子機器から送信されてくる設定情報の受信を制御する受信制御ステップと、受信した設定情報に基づいて、入力装置の機能の設定を制御するための制御情報を生成する生成ステップとを含む。
【００６０】
本発明の第３の側面の情報処理方法においては、電子機器と通信可能な状態にある場合、電子機器が正当であるかが認証され、電子機器が正当であると認証された場合、入力装置の機能であって、車両に搭載された他の装置の動作を指示する機能を設定するための設定情報を取得するための第１の要求の電子機器への送信が制御され、電子機器から送信されてくる設定情報の受信が制御され、受信された設定情報に基づいて、入力装置の機能の設定を制御するための制御情報が生成される。
【００６１】
したがって、車両を利用するユーザの利便性を高めることができる。特に、車両に設けられたスイッチの機能と、その機能を示す画面の表示を設定することで、ユーザの利便性を向上させることができる。
【００６２】
この認証ステップは、電子機器と通信可能な状態にある場合、電子機器が正当であるかを認証する認証ステップにより構成され、送信制御ステップは、電子機器が正当であると認証された場合、入力装置の機能であって、車両に搭載された他の装置の動作を指示する機能を設定するための設定情報を取得するための第１の要求の電子機器への送信を制御する送信制御ステップから構成され、受信制御ステップは、電子機器から送信されてくる設定情報の受信を制御する受信制御ステップから構成され、生成ステップは、受信した設定情報に基づいて、入力装置の機能の設定を制御するための制御情報を生成する生成ステップから構成される。
【００６３】
本発明の第３の側面のプログラムは、電子機器と相互に無線通信を行うとともに、車両に搭載された入力装置の設定を行う情報処理装置のコンピュータに、情報処理を行わせるプログラムにおいて、電子機器と通信可能な状態にある場合、電子機器が正当であるかを認証する認証ステップと、電子機器が正当であると認証された場合、入力装置の機能であって、車両に搭載された他の装置の動作を指示する機能を設定するための設定情報を取得するための第１の要求の電子機器への送信を制御する送信制御ステップと、電子機器から送信されてくる設定情報の受信を制御する受信制御ステップと、受信した設定情報に基づいて、入力装置の機能の設定を制御するための制御情報を生成する生成ステップとを含む。
【００６４】
本発明の第４の側面の入力装置は、情報処理装置から設定される、車両に搭載された入力装置において、情報処理装置から供給される、車両に搭載された他の装置の動作を指示する機能の設定を制御するための制御情報に基づいて、機能を設定する設定手段と、設定した機能の内容を示す機能情報を表示する表示手段とを備える。
【００６５】
本発明の第４の側面の入力装置においては、情報処理装置から供給される、車両に搭載された他の装置の動作を指示する機能の設定を制御するための制御情報に基づいて、機能が設定され、設定された機能の内容を示す機能情報が表示される。
【００６６】
したがって、車両を利用するユーザの利便性を高めることができる。特に、各種の機能と、その機能を示す画面の表示を変更することで、ユーザの利便性を向上させることができる。
【００６７】
設定手段は、例えば、CPUなどによって実行されるプログラムに含まれるスイッチ機能設定部により構成される。スイッチ機能設定部は、情報処理装置から供給される、車両に搭載された他の装置の動作を指示する機能の設定を制御するための制御情報に基づいて、機能を設定する。
【００６８】
表示手段は、例えば、LCDなどから構成される。LCDは、設定した機能の内容を示す機能情報を表示する。
【００６９】
これにより、例えば、スイッチの各種の機能と、その機能を示す画面の表示を変更することで、ユーザの利便性を向上させることができる。
【００７０】
機能情報には、機能の内容を文字により示す情報であるようにすることができる。
【００７１】
ユーザからの指示に基づいて、機能の動作を他の装置に指示する指示手段をさらに設けさせるようにすることができる。
【００７２】
本発明の第４の側面の情報処理方法は、情報処理装置から設定される、車両に搭載された入力装置の情報処理方法において、情報処理装置から供給される、車両に搭載された他の装置の動作を指示する機能の設定を制御するための制御情報に基づいて、機能を設定する設定ステップと、設定した機能の内容を示す機能情報を表示する表示ステップとを含む。
【００７３】
本発明の第４の側面の情報処理方法においては、情報処理装置から供給される、車両に搭載された他の装置の動作を指示する機能の設定を制御するための制御情報に基づいて、機能が設定され、設定された機能の内容を示す機能情報が表示される。
【００７４】
したがって、車両を利用するユーザの利便性を高めることができる。特に、各種の機能と、その機能を示す画面の表示を変更することで、ユーザの利便性を向上させることができる。
【００７５】
この設定ステップは、情報処理装置から供給される、車両に搭載された他の装置の動作を指示する機能の設定を制御するための制御情報に基づいて、機能を設定する設定ステップから構成され、表示ステップは、設定した機能の内容を示す機能情報を表示する表示ステップから構成される。
【００７６】
本発明の第４の側面のプログラムは、情報処理装置から設定される、車両に搭載された入力装置のコンピュータに、情報処理を行わせるプログラムにおいて、情報処理装置から供給される、車両に搭載された他の装置の動作を指示する機能の設定を制御するための制御情報に基づいて、機能を設定する設定ステップと、設定した機能の内容を示す機能情報を表示する表示ステップとを含む。
【００７７】
本発明の第２の側面のプログラム、第３の側面のプログラム、および第４の側面のプログラムは、所定の記録媒体に記録されて、例えば、ドライブにより読み出され、パーソナルコンピュータにインストールされる。記録媒体は、フロッピ（登録商標）ディスクなどよりなる磁気ディスク、CD-ROM(Compact Disk Read Only Memory)、DVD-ROM(Digital Versatile Disk)などよりなる光ディスク、MD(Mini Disk)（登録商標）などよりなる光磁気ディスク、または半導体メモリなどのリムーバブルメディアにより構成される。
【発明の効果】
【００７８】
以上のように、本発明の第１の側面によれば、車両を利用するユーザの利便性を高めることができる。本発明の第１の側面によれば、特に、ユーザが車両のスイッチを使用するときの利便性を向上させることができる。
【００７９】
本発明の第２の側面によれば、車両を利用するユーザの利便性を高めることができる。本発明の第２の側面によれば、特に、ユーザの指示に基づいて、車両のスイッチの設定を行うことで、ユーザの利便性を向上させることができる。
【００８０】
本発明の第３の側面によれば、車両を利用するユーザの利便性を高めることができる。本発明の第３の側面によれば、特に、車両に設けられたスイッチの機能と、その機能を示す画面の表示を設定することで、ユーザの利便性を向上させることができる。
【００８１】
本発明の第４の側面によれば、車両を利用するユーザの利便性を高めることができる。本発明の第４の側面によれば、特に、各種の機能と、その機能を示す画面の表示を変更することで、ユーザの利便性を向上させることができる。
【発明を実施するための最良の形態】
【００８２】
以下、図面を参照しながら本発明の実施の形態について説明する。
【００８３】
図１は、本発明を適用した情報処理システムとしての車両機能設定システム１の一実施の形態の構成を示すブロック図である。この車両機能設定システム１においては、車両１１の車両用機能設定装置２１と携帯電話機１２は、無線により通信を行い、携帯電話機１２は、基地局１３、通信網１４、ゲートウェイ１５、および通信網１６を介して、ソフトウェア提供サーバ１７と通信を行う。
【００８４】
車両１１は、例えば、乗用車、バス、トラック、その他の車両であり、その内部に、車両用機能設定装置２１とスイッチ２２を搭載している。
【００８５】
携帯電話機１２は、例えば、ICタグを用いた近接無線通信により、車両用機能設定装置２１と通信を行うことで、データを送受信する。具体的には、携帯電話機１２は、ユーザの指示に基づいて、スイッチ２２の設定に関係する情報（以下、スイッチ設定情報と称する）を生成し、そのスイッチ設定情報を、ICタグを用いた近接無線通信により、車両用機能設定装置２１に送信する。
【００８６】
車両用機能設定装置２１は、例えば、ICタグを用いた近接無線通信により、携帯電話機１２と通信を行うことで、データを送受信する。具体的には、車両用機能設定装置２１は、ICタグを用いた近接無線通信により、携帯電話機１２から送信されるスイッチ設定情報を受信する。車両用機能設定装置２１は、受信したスイッチ設定情報に基づいて、CAN（Controller Area Network）などの車載LAN（Local Area Network）を介して、車両１１に搭載された各種の車載装置（図示せず）を操作するためのスイッチ２２の各種の機能を設定する。
【００８７】
基地局１３は、通信サービスの提供エリアを所望の大きさに分割したセル内に、それぞれ設けられている固定無線局である。基地局１３には、移動無線局である携帯電話機１２が、例えば、W-CDMA（Wideband Code Division Multiple Access）などの符号分割多元接続方式の無線通信で接続されるようになされており、２GHzの周波数帯を利用して最大２Mbpsのデータ転送速度で大容量データを高速にデータ通信し得るようになされている。
【００８８】
このように、携帯電話機１２は、W-CDMA方式によって大容量データを高速にデータ通信し得るようになされていることにより、音声通話だけでなく所定のソフトウェアのダウンロード、電子メールの送受信、簡易ホームページの閲覧、画像の送受信などの多種に及ぶデータ通信を実行し得るようになされている。
【００８９】
また、基地局１３は、有線回路を介して公衆回線網などの通信網１４に接続されている。通信網１４は、ゲートウェイ１５を介して、インターネットなどの通信部１６や、図示しない多くの加入者有線端末、各種のネットワーク、例えば、コンピュータネットワークおよび企業内ネットワークなどが接続されている。
【００９０】
ゲートウェイ１５は、通信網１４と通信網１６とを接続し、両者のデータを変換することで、通信網１４と通信網１６との通信を可能にしている。
【００９１】
通信網１６には、ソフトウェア提供サーバ１７が接続され、TCP/IP（Transmission Control Protocol/Internet Protocol）などのプロトコルに従って、携帯電話機１２からソフトウェア提供サーバ１７に対してアクセスし得るようになされている。
【００９２】
ソフトウェア提供サーバ１７は、例えば、車両１１のスイッチ２２の各種機能を設定するためのソフトウェアなど、各種のソフトウェアを記録している。ソフトウェア提供サーバ１７は、携帯電話機１２からの要求に応じて、記録しているそれらのソフトウェアを提供する。
【００９３】
なお、図１においては、例えば、携帯電話機１２から基地局１３までの通信には、２Mbpsの簡易トランスポートプロトコルが使用され、基地局１３から、通信を介した、ソフトウェア提供サーバ１７までの通信には、TCP/IPプロトコルが使用される。
【００９４】
図２は、本発明を適用した情報処理装置としての車両用機能設定装置２１のハードウェア構成の例を示すブロック図である。
【００９５】
車両用機能設定装置２１は、例えば、乗用車、バス、その他の車両に搭載させており、スイッチ２２の各種の設定を行うことが可能なようになされている。
【００９６】
車両用機能設定装置２１は、CPU３１、ROM（Read Only Memory）３２、RAM（Random Access Memory）３３、操作入力部３５、表示部３６、音声出力部３７、通信部３８、生体情報取得部３９、および記憶部４０を含むようにして構成される。これらは、バス３４により相互に接続されている。また、バス３４には、必要に応じて、ドライブ４１が接続される。
【００９７】
CPU３１は、車両用機能設定装置２１の各部の動作を制御する。ROM３２は、CPU３１が実行するアプリケーションプログラムや、アプリケーションプログラムの実行に必要なデータなどを適宜保存している。RAM３３は、CPU３１が各種の処理を実行する上において必要なデータを適宜記憶する。
【００９８】
操作入力部３５は、例えば、タッチパネル、ボタン、キー、レバー、キーボード、マウス、図示しないリモートコマンダから送信される赤外線信号を受信する受信部などより構成され、ユーザによる操作入力に応じた操作信号を、バス３４を介して、CPU３１に供給する。
【００９９】
表示部３６は、LCD、有機EL（Electro Luminescence）、LED（Light Emitting Diode）などのディスプレイと、それらのディスプレイへの画像または文字の表示を制御するドライバなどから構成されており、CPU３１の制御に基づいて、例えば、ユーザへのメッセージなどを表示するものである。
【０１００】
音声出力部３７は、スピーカにより構成され、CPU３１の制御に基づいて、例えば、ユーザへのメッセージや、認証の処理結果などを通知するための音声を出力する。
【０１０１】
通信部３８は、携帯電話機１２と通信可能となった場合、所定の周波数の電波を利用して、携帯電話機１２と非接触で、スイッチ設定情報などのデータの送受信を行う。例えば、通信部３８は、携帯電話機１２とICタグによる非接触通信を行う場合、その携帯電話機１２に設けられているICタグに対する専用のリーダライタとして構成される。その場合、リーダライタは、電波を利用してICタグと非接触でのデータの送受信を行う。
【０１０２】
生体情報取得部３９は、カメラを含んで構成され、例えば、顔画像、指紋画像、網膜画像、静脈画像などの、個人を特定するための生体情報を取得する。生体情報取得部３９は、取得した生体情報を、認証情報として、例えば、図３を参照して後述する認証処理部５４に供給する。例えば、生体情報取得部３９は、CCD（Charge Coupled Device）撮像素子やCMOS（Complementary Metal Oxide Semiconductor）撮像素子を内蔵した動画像カメラによって、ユーザの顔画像を取得し、その顔画像を、バス３４を介して認証処理部５４に供給する。
【０１０３】
記憶部４０は、例えば、不揮発性の半導体メモリやハードディスクなどで構成され、各種のデータを記憶する。
【０１０４】
バス３４にはまた、必要に応じてドライブ４１が接続され、磁気ディスク、光ディスク、光磁気ディスク、あるいは半導体メモリなどによりなるリムーバブルメディア４２が適宜装着され、それから読み出されたコンピュータプログラムが、必要に応じてRAM３３またはハードディスクなどの記憶部４０にインストールされる。
【０１０５】
なお、車両用機能設定装置２１のハードウェア構成は、図２の例に限定されず、後述する図３の機能的構成を少なくとも有していればよい。
【０１０６】
図３は、車両用機能設定装置２１の機能的構成を示すブロック図である。
【０１０７】
車両用機能設定装置２１は、制御部５１、リーダライタ５２、車種ID記憶部５３、認証処理部５４、認証情報記憶部５５、LCD５６、スイッチ制御情報生成部５７、およびインターフェース５８を含むようにして構成される。
【０１０８】
なお、本実施の形態では、車両用機能設定装置２１は、上述した図２のハードウェア構成を有しているので、認証処理部５４とスイッチ制御情報生成部５７は、例えば、ソフトウェア（コンピュータプログラム）を実行する図２のCPU３１によって実現される。また、例えば、制御部５１は、図２のCPU３１に相当し、リーダライタ５２は、図２の通信部３８に相当する。さらにまた、例えば、車種ID記憶部５３と認証情報記憶部５５は、図２の記憶部４０に相当し、LCD５６は、図２の表示部３６に相当する。
【０１０９】
ただし、認証処理部５４とスイッチ制御情報生成部５７は、ハードウェアとして構成することもできるし、ソフトウェアとハードウェアとの組み合わせとして構成することも可能である。
【０１１０】
制御部５１は、車両用機能設定装置２１の各部の動作を制御する。
【０１１１】
リーダライタ５２は、制御部５１の制御に基づいて、電波を利用して、ICタグが設けられた携帯電話機１２と非接触でのデータの送受信を行う。リーダライタ５２は、制御部５１から供給されるデータを携帯電話機１２に送信し、携帯電話機１２から受信したデータを制御部５１に供給する。
【０１１２】
車種ID記憶部５３は、車両１１の車種を識別するための識別子である車種IDを記憶する。車種ID記憶部５３は、制御部５１の制御に基づいて、記憶している車種IDを制御部５１に供給する。なお、車種IDは、車種ID記憶部５３に記憶せずに、他の車載装置（図示せず）に記憶するようにしてもよい。その場合、制御部５１は、他の車載装置から車種IDを取得することになる。
【０１１３】
認証情報記憶部５５は、例えば、携帯電話機１２の製造ID、電話番号、携帯電話機１２に設けられたICタグのIDなどの、携帯電話機１２が正当であるかを認証するための認証情報を記憶する。認証情報記憶部５５は、認証処理部５４からの要求に応じて、記憶している認証情報を認証処理部５４に供給する。
【０１１４】
なお、車種ID記憶部５３と認証情報記憶部５５は、例えば、不揮発性の半導体メモリやハードディスクなどで構成され、それぞれ、個別に構成されていても、同一の記憶媒体を用いて、それぞれ固有の記憶領域を有するものとしてもよい。
【０１１５】
認証処理部５４には、制御部５１からの携帯電話機１２より受信した認証情報と、認証情報記憶部５５からの認証情報が供給される。認証処理部５４は、それらの認証情報に基づいて、認証の処理を行う。認証処理部５４は、認証の結果を制御部５１に供給する。
【０１１６】
ここで、認証の処理では、上述したように、認証情報記憶部５５には、携帯電話機１２の製造IDなどの認証情報があらかじめ登録されており、それらの認証情報に対応する携帯電話機１２の製造IDなどの認証情報が携帯電話機１２から送信されてくるので、認証処理部５４は、それらの携帯電話機１２の製造IDなどの認証情報を比較して、認証の対象となっている携帯電話機１２、すなわち、ユーザは、登録されているかを判定する。
【０１１７】
なお、認証の処理の方法は、このような装置固有のデータを用いた方法に限らず、例えば、携帯電話機１２のICタグに格納されている暗証番号を、車両用機能設定装置２１が読み取り、その暗証番号と、操作入力部３５を介してユーザにより入力された暗証番号とを比較することにより、すなわち、ユーザにより設定されたデータを用いることにより、認証の処理を行うようにしてもよい。このとき、ユーザは、暗証番号を、操作入力部３５を介して入力せずに、他の車載装置から入力してもよいし、暗証番号の代わりにパスワードを用いるようにしてもよい。
【０１１８】
また、上述した、認証の処理の前処理として、例えば、携帯電話機１２では、後述する図５のCCDカメラ１１３や指紋読み取り装置などを用いて、顔認証、指紋認証などのバイオメトリックス認証で使用する、ユーザの生体情報の特徴量を保存し、車両用機能設定装置２１では、生体情報取得部３９を用いて、ユーザの生体情報の特徴量を、あらかじめ認証情報記憶部５５に記憶させておく。そして、認証処理部５４は、携帯電話機１２のICタグに保存されているユーザの生体情報の特徴量と、認証情報記憶部５５にあらかじめ登録されているユーザの生体情報の特徴量とを比較することにより、すなわち、ユーザ固有の特徴量をあらかじめ登録して用いることにより、認証の処理を行うようにしてもよい。
【０１１９】
さらに、バイオメトリックス認証の処理の前に、携帯電話機１２では、あらかじめ、ユーザに対して認証の処理を行い、車両用機能設定装置２１でも、あらかじめ、ユーザに対して認証の処理を行うことにより、それぞれ、個別に認証の処理を行っておく。その後、携帯電話機１２では、CCDカメラ１１３などの各種装置を用いて、バイオメトリックス認証で使用する、ユーザの生体情報の特徴量を保存し、車両用機能設定装置２１では、その携帯電話機１２に保存されているユーザの生体情報の特徴量を読み出す。認証処理部５４は、その読み出したユーザの生体情報の特徴量と、生体情報取得部３９を用いて、取得されたユーザの生体情報の特徴量とを比較することにより、すなわち、携帯電話機１２と車両用機能設定装置２１のそれぞれが個別にユーザを認証しておき、その後、その時点での、ユーザ固有の特徴量を生成して、その特徴量を用いることにより、認証の処理を行うようにしてもよい。
【０１２０】
すなわち、認証処理部５４は、さまざまな認証方法を組み合わせて認証の処理を行うことができるので、ユーザの指示に基づいて、最適となる認証方法を組み合わせて認証の処理を行う。
【０１２１】
LCD５６は、制御部５１の制御に基づいて、例えば、文字や画像などにより示されるメッセージを画面に表示する。
【０１２２】
スイッチ制御情報生成部５７は、携帯電話機１２から受信したスイッチ設定情報であって、制御部５１から供給されるスイッチ設定情報に基づいて、スイッチ２２の機能の設定を制御するための情報（以下、スイッチ制御情報と称する）を生成する。スイッチ制御情報生成部５７は、インターフェース５８を介して、生成したスイッチ制御情報を、車載LANに接続されたスイッチ２２に出力する。
【０１２３】
図４は、本発明を適用した入力装置としてのスイッチ２２の機能的構成を示すブロック図である。
【０１２４】
スイッチ２２は、車載LANを介して、車両用機能設定装置２１から供給されるスイッチ制御情報に基づいて、自分の機能と、その機能を示す画面の表示を変更する。スイッチ２２は、ユーザによる操作に基づいて、各種の機能の動作を指示するための操作信号を、車載LANを介して、その機能を実現するための車載装置（図示せず）に出力する。
【０１２５】
スイッチ２２は、制御部７１、インターフェース７２、表示制御部７３、LCD７４、スイッチ機能設定部７５、およびボタン７６を含むようにして構成される。
【０１２６】
制御部７１は、スイッチ２２の各部の動作を制御する。
【０１２７】
制御部７１には、インターフェース７２を介して、車載LANに接続された車両用機能設定装置２１からスイッチ制御情報が入力される。制御部７１は、インターフェース７２を介して車両用機能設定装置２１から入力される、スイッチ制御情報を、表示制御部７３およびスイッチ機能設定部７５に供給する。
【０１２８】
表示制御部７３は、制御部７１から供給される、車両用機能設定装置２１からのスイッチ制御情報に基づいて、LCD７４の画面の表示を制御する。例えば、表示制御部７３は、“サイドミラー格納”や“パワーウィンドウ”などの、ユーザによるスイッチ２２の操作により動作が指示される機能の名称のLCD７４の画面への表示を制御する。
【０１２９】
LCD７４は、LCDなどのディスプレイと、それらのディスプレイへの画像または文字の表示を制御するドライバなどから構成される。LCD７４は、表示制御部７３の制御に基づいて、例えば、“サイドミラー格納”や“パワーウィンドウ”などの、文字や画像などにより示されるスイッチ２２の機能を画面に表示させる。なお、LCD７４は、LCDディスプレイに限らず、例えば、有機ELやLEDなどのディスプレイであってもよい。
【０１３０】
スイッチ機能設定部７５は、制御部７１から供給される、車両用機能設定装置２１からのスイッチ制御情報に基づいて、スイッチ２２の機能を設定する。例えば、スイッチ機能設定部７５は、車両用機能設定装置２１からの、スイッチ２２の機能を“パワーウィンドウ”の動作を指示する機能に変更することを示すスイッチ制御情報に基づいて、スイッチ２２の機能を“パワーウィンドウ”に設定する。
【０１３１】
ボタン７６は、ユーザにより押下された場合、その操作に対応する操作信号を制御部７１に供給する。
【０１３２】
制御部７１は、ボタン７６から供給される操作信号と、スイッチ機能設定部７５により設定されたスイッチ２２の機能に基づいて、スイッチ２２の機能に対応した動作を指示するための操作信号を、インターフェース７２を介して、車載LANに接続されたその機能を実現するための車載装置（図示せず）に出力する。例えば、制御部７１は、ボタン７６からの操作信号と、スイッチ機能設定部７５により設定された“パワーウィンドウ”であるスイッチ２２の機能に基づいて、“パワーウィンドウ”を動作させるための操作信号を、インターフェース７２を介して、スイッチ操作によりガラスの昇降を行うパワーウィンドウ機構を制御するパワーウィンドウ制御装置（図示せず）に供給する。これにより、ユーザによりボタン７６が押下されると、車両１１のパワーウィンドウが動作することになる。
【０１３３】
以上のようにして、スイッチ２２は、車載LANを介して供給されるスイッチ制御情報に基づいて、車両用機能設定装置２１に制御される。
【０１３４】
なお、制御部７１、表示制御部７３、またはスイッチ機能設定部７５などのスイッチ２２を制御しているブロックを設けずに、スイッチ２２を、インターフェース７２を介して、直接、無線LANに接続された車両用機能設定装置２１に制御させるようにしてもよい。また、表示制御部７３とLCD７４の代わりに、LEDなどを設けて、そのLEDによりスイッチ２２の機能の内容を示させるようにしてもよい。すなわち、本実施の形態では、表示制御部７３とLCD７４によりスイッチ２２の機能の内容を示すように説明するが、例えば、LEDなど、スイッチ２２の機能の内容を示すことができるものであればよい。
【０１３５】
図５は、本発明を適用した電子機器としての携帯電話機１２のハードウェア構成の例を示すブロック図である。
【０１３６】
CPU１０１は、ROM１０２に記憶されているプログラム、または記憶部１０６から、RAM１０３にロードされたプログラムに従って、各種の処理を実行し、携帯電話機１２の各部の動作を制御する。RAM１０３にはまた、CPU１０１が各種の処理を実行する上において必要なデータなどが適宜記憶される。
【０１３７】
CPU１０１、ROM１０２、およびRAM１０３は、バス１０４を介して相互に接続されている。バス１０４にはまた、通信部１０５、記憶部１０６、インターフェース１０７も接続されている。
【０１３８】
通信部１０５は、通話時には、基地局１３との間で音声データを送受信し、通信時には、基地局１３、通信網１４、ゲートウェイ１５、および通信網１６などを介して、各種のデータを送受信する。記憶部１０６は、不揮発性のメモリ、例えば、フラッシュメモリなどより構成され、CPU１０１が実行するための所定のソフトウェアなどを適宜記憶する。
【０１３９】
インターフェース１０７には、表示部１０８、入力部１０９、マイクロフォン１１０、スピーカ１１１、ICタグ１１２、およびCCDカメラ１１３が接続される。
【０１４０】
表示部１０８は、LCDなどから構成され、CPU１０１からの制御に基づいて所定の画面を表示する。例えば、ソフトウェア提供サーバ１７から携帯電話機１２に提供される所定のソフトウェアにより実行される処理の結果の内容などが表示部１０８の画面に表示される。入力部１０９は、テンキーなどのボタンに対するユーザの入力を検出し、ユーザからの入力に対応する操作信号をCPU１０１に供給する。マイクロフォン１１０は、ユーザの声を集音し、それを通信部１０５などに出力する。スピーカ１１１は、他の携帯電話機１２から送信されてきたデータに基づく音声を外部に出力する。
【０１４１】
ICタグ１１２は、データの読み取りや書き換えが可能なICが埋め込まれており、電波により他の装置とデータの送受信を行う。これにより、携帯電話機１２のICタグ１１２と、車両用機能設定設定装置２１の通信部３８（図２）（リーダライタ５２（図３）とは、非接触でのデータの送受信を行うことが可能となる。
【０１４２】
CCDカメラ１１３は、例えば、CCD撮像素子などを内蔵した動画像カメラからなり、被写体を撮像し、その被写体の画像データを記憶部１０６に記憶させる。例えば、CCDカメラ１１３は、顔認証などのバイオメトリックス認証で使用する、ユーザの顔画像を撮像し、その顔画像データを記憶部１０６に記憶させる。そして、CPU１０１は、記憶されている顔画像データに基づいて、認証の処理を行う。
【０１４３】
なお、携帯電話機１２のハードウェア構成は、図５の例に限定されず、後述する図６の機能的構成を少なくとも有していればよい。
【０１４４】
図６は、携帯電話機１２の機能的構成を示すブロック図である。
【０１４５】
携帯電話機１２は、通信部１０６、ICタグ１１２、制御部１２１、ボタン１２２、車種ID記憶部１２３、LCD１２４、スイッチ設定情報生成部１２５、スイッチ設定情報記憶部１２６、および認証情報記憶部１２７を含むようにして構成される。
【０１４６】
なお、図５に示す場合と同様の部分には、同一の番号が付してあり、その説明は繰り返しになるので適宜省略する。また、図６では、例えば、制御部１２１は、図５のCPU１０１に相当し、ボタン１２２は、図５の入力部１０９に相当し、LCD１２４は、図５の表示部１０８に相当する。また、図６では、例えば、車種ID記憶部１２３、スイッチ設定情報記憶部１２６、および認証情報記憶部１２７は、図５の記憶部１０６に相当する。
【０１４７】
制御部１２１は、携帯電話機１２の各部の動作を制御する。制御部１２１には、ボタン１２２からユーザの操作に対応する操作信号が供給される。
【０１４８】
ユーザにより、車両１１の車種IDを取得するための所定の操作がされた場合、制御部１２１は、ボタン１２２からの操作信号に基づいて、車両１１の車種IDを取得するための要求（以下、車種ID要求と称する）をICタグ１１２に供給する。ICタグ１１２は、制御部１２１の制御に基づいて、電波を利用して、車種ID要求を車両用機能設定装置２１に送信する。また、ICタグ１１２は、制御部１２１の制御に基づいて、電波を利用して、車両用機能設定装置２１から車種IDを受信する。そして、制御部１２１は、受信した車種IDを車種ID記憶部１２３に記憶させる。これにより、車種ID記憶部１２３には、車両１１の車種を示す車種IDが記憶される。
【０１４９】
ユーザにより、スイッチ２２の各種設定を行うためのソフトウェア（以下、スイッチ設定ソフトウェアと称する）を取得するための所定の操作がされた場合、制御部１２１は、ボタン１２２からの操作信号に基づいて、スイッチ設定ソフトウェアを取得するための要求（以下、ソフトウェア要求と称する）を通信部１０６に供給する。通信部１０６は、制御部１２１の制御に基づいて、ソフトウェア要求を、基地局１３などを介して、ソフトウェア提供サーバ１７に送信する。また、通信部１０６は、制御部１２１の制御に基づいて、基地局１３などを介して、ソフトウェア提供サーバ１７から送信されるスイッチ設定ソフトウェアを受信する（すなわち、携帯電話機１２は、ソフトウェア提供サーバ１７からスイッチ設定ソフトウェアをダウンロードする）。これにより、携帯電話機１２は、ユーザからの指示に基づいて、スイッチ設定ソフトウェアを実行することが可能となる。
【０１５０】
なお、制御部１２１は、車種ID記憶部１２３に記憶されている、車両１１の車種IDをソフトウェア要求とともに、通信部１０６に送信させることで、ソフトウェア提供サーバ１７から、その車種IDにより特定されるスイッチ設定ソフトウェアをダウンロードさせることができる。すなわち、通常、スイッチの配置は車両の車種ごとに異なっているものなので、これにより、対象となる車種の車内のスイッチの配置に対応した、専用のスイッチ設定ソフトウェアをダウンロードすることができる。
【０１５１】
スイッチ設定情報生成部１２５は、ユーザからの指示に基づいて、スイッチ２２の設定に関係する情報であるスイッチ設定情報を生成する。スイッチ設定情報生成部１２５は、生成したスイッチ設定情報をスイッチ情報記憶部１２５に記憶させる。例えば、ソフトウェア提供サーバ１７からダウンロードされたスイッチ設定ソフトウェアが起動されているとき、スイッチ設定情報生成部１２５は、ユーザからの指示により、スイッチ設定ソフトウェアにより実行される処理の結果に基づいて、スイッチ２２に対して“パワーウィンドウ”の動作を指示する機能を設定するためのスイッチ設定情報を生成し、そのスイッチ設定情報をスイッチ情報記憶部１２５に記憶させる。これにより、携帯電話機１２は、スイッチ２２の設定に関係するスイッチ設定情報を記憶していることになる。
【０１５２】
また、制御部１２１は、ICタグ１１２を制御して、電波を利用した無線通信により、車両用機能設定装置２１から送信される認証情報の要求（以下、認証情報要求と称する）を受信させる。そして、制御部１２１は、その認証情報要求に基づいて、認証情報記憶部１２７に記憶されている認証情報を取得する。制御部１２１は、ICタグ１１２を制御して、電波を利用した無線通信により、取得した認証情報を車両用機能設定装置２１に送信させる。なお、認証情報記憶部１２７は、例えば、携帯電話機１２の製造IDなどの、携帯電話機１２が正当であるかを認証するための情報を記憶する。
【０１５３】
さらに、制御部１２１は、ICタグ１１２を制御して、電波を利用した無線通信により、車両用機能設定装置２１から送信されるスイッチ設定情報の要求（以下、スイッチ設定情報要求と称する）を受信させる。そして、制御部１２１は、そのスイッチ設定情報要求に基づいて、スイッチ設定情報記憶部１２６に記憶されているスイッチ設定情報を取得する。制御部１２１は、ICタグ１１２を制御して、電波を利用した無線通信により、取得したスイッチ設定情報を車両用機能設定装置２１に送信させる。これにより、携帯電話機１２は、電波を利用した無線通信により、スイッチ２２の設定に関係するスイッチ設定情報を車両用機能設定装置２１に送信したことになる。
【０１５４】
LCD１２４は、制御部１２１の制御に基づいて、例えば、スイッチ設定ソフトウェアにより実行される処理の結果の内容などを画面に表示する。
【０１５５】
なお、車種ID記憶部１２３、スイッチ設定情報記憶部１２６、および認証情報記憶部１２７は、例えば、不揮発性のメモリやハードディスクなどで構成され、それぞれ、個別に構成されていても、同一の記憶媒体を用いて、それぞれ固有の記憶領域を有するものとしてもよい。
【０１５６】
図７は、ソフトウェア提供サーバ１７の構成を示すブロック図である。
【０１５７】
図７のソフトウェア提供サーバ１７において、CPU１５１は、ROM１５２に記憶されているプログラム、または記録部１５８からRAM１５３にロードされたプログラムにしたがって各種の処理を実行する。RAM１５３にはまた、CPU１５１が各種の処理を実行する上において必要なデータなども適宜記憶される。
【０１５８】
CPU１５１、ROM１５２、およびRAM１５３は、バス１５４を介して相互に接続されている。このバス１５４にはまた、入出力インターフェース１５５も接続されている。
【０１５９】
入出力インターフェース１５５には、キーボード、マウスなどよりなる入力部１５６、LCDなどのディスプレイなどよりなる出力部１５７、ハードディスクなどより構成される記録部１５８が接続されている。記録部１５８には、例えば、各種の車種IDに対応するスイッチ設定ソフトウェアが記憶されている。また、入出力インターフェース１５５には、通信部１５９が接続され、通信部１５９は、ネットワークを介しての他のブロックとの通信処理を制御する。
【０１６０】
入出力インターフェース１５５にはまた、必要に応じてドライブ１６０が接続され、磁気ディスク、光ディスク、光磁気ディスク、または半導体メモリなどのリムーバブルメディア１６１が適宜装着され、それらから読み出されたコンピュータプログラムが、必要に応じて記録部１５８にインストールされる。
【０１６１】
次に、図８を参照して、本発明を適用した車両機能設定システム１の原理的構成を説明する。
【０１６２】
図８の車両機能設定システム１は、車両１１、携帯電話機１２、ネットワーク２０１、ソフトウェア提供サーバ１７から構成される。すなわち、図８では、説明を分かり易くするために、図１の基地局１３、通信部１４、ゲートウェイ１５、および通信部１６をまとめて、ネットワーク２０１として表現している。
【０１６３】
車両１１には、複数のスイッチ２２が設けられているので、車両１１は、車両用機能設定装置２１と、スイッチ２２−１乃至スイッチ２２−Ｎを含むようにして構成される。また、それらは、例えば、CANなどからなる車載LAN２１１を介して相互に接続されている。
【０１６４】
携帯電話機１２は、ユーザの操作により、ネットワーク２０１を介して、ソフトウェア提供サーバ１７からスイッチ設定ソフトウェアをダウンロードする。また、ユーザの操作により、ダウンロードしたスイッチ設定ソフトウェアが起動されることで、携帯電話機１２は、スイッチ設定ソフトウェアを、LCD１２４の画面に表示させる。ここで、ユーザがスイッチ設定ソフトウェアを操作して、スイッチ２２−１乃至スイッチ２２−Ｎの設定を行った場合、携帯電話機１２は、それらの操作に基づいたスイッチ設定情報を生成し、記憶する。
【０１６５】
そして、ユーザにより、携帯電話機１２が車両用機能設定装置２１に翳された場合、携帯電話機１２は、電波を利用した無線通信により、記憶していたスイッチ設定情報を車両用機能設定装置２１に送信する。スイッチ設定情報を受信した車両用機能設定装置２１は、そのスイッチ設定情報に基づいて、車載LAN２１１を介して、スイッチ２２−１乃至スイッチ２２−Ｎを制御する。これにより、スイッチ２２−１乃至スイッチ２２−Ｎには、スイッチ設定情報に基づいた各種の機能が設定され、その機能に応じた情報がLCD７４の画面に表示されることになる。
【０１６６】
なお、以下、スイッチ２２−１乃至スイッチ２２−Ｎを個々に区別する必要がないとき、単に、スイッチ２２と称する。
【０１６７】
次に、図９乃至図１８を参照して、車両機能設定システム１の具体的な動作について説明する。図９乃至図１６による説明においては、まず、図９のフローチャートを参照して、車両機能設定システム１の全体の処理の概要を説明し、その後、図１０乃至図１８を参照して、車両機能設定システム１を構成する各装置が行う処理の詳細を説明する。
【０１６８】
まず、図９のフローチャートを参照して、車両機能設定システム１の全体の処理の概要を説明する。なお、図９のフローチャートでは、ステップＳ１１とステップＳ１２の処理は、スイッチ２２により実行され、ステップＳ２１乃至ステップＳ２９の処理は、車両用機能設定装置２１により実行され、ステップＳ４１乃至ステップＳ５０の処理は、携帯電話機１２により実行され、ステップＳ６１とステップＳ６２の処理は、ソフトウェア提供サーバ１７により実行される。
【０１６９】
ステップＳ４１において、携帯電話機１２は、ユーザからの指示に基づいて、電波を利用した無線通信により、車種ID要求を車両用機能設定装置２１に送信する。
【０１７０】
車両用機能設定装置２１は、ステップＳ２１において、携帯電話機１２から送信される車種ID要求に基づいて、車両１１の車種IDを取得し、ステップＳ２２において、電波を利用した無線通信により、その車種IDを携帯電話機１２に送信する。
【０１７１】
ステップＳ４２において、携帯電話機１２は、車両用機能設定装置２１からの車種IDを受信し、記憶する。また、ユーザにより、スイッチ設定ソフトウェアをダウンロードするための所定の操作がされた場合、ステップＳ４３において、携帯電話機１２は、ユーザの指示に基づいて、車種IDを含んでいるソフトウェア要求を、ネットワーク２０１を介して、ソフトウェア提供サーバ１７に送信する。
【０１７２】
ソフトウェア提供サーバ１７は、ステップＳ６１において、携帯電話機１２からのソフトウェア要求に基づいて、ソフトウェア要求に含まれる車種IDに対応したスイッチ設定ソフトウェアを取得し、ステップＳ６２において、その取得したスイッチ設定ソフトウェアを、ネットワーク２０１を介して、携帯電話機１２に送信する。
【０１７３】
ステップＳ４４において、携帯電話機１２は、ネットワーク２０１を介して、ソフトウェア提供サーバ１７から送信されるスイッチ設定ソフトウェアを受信する。これにより、携帯電話機１２は、ネットワーク２０１を介して、ソフトウェア提供サーバ１７からスイッチ設定ソフトウェアをダウンロードしたことになる。
【０１７４】
ユーザにより、ダウンロードされたスイッチ設定ソフトウェアの起動が指示され、そのスイッチ設定ソフトウェアを介してスイッチ２２の機能の設定が指示された場合、ステップＳ４５において、携帯電話機１２は、スイッチ設定ソフトウェアにより実行される処理の結果に基づいて、スイッチ設定情報を生成する。ステップＳ４６において、携帯電話機１２は、生成したスイッチ設定情報を記憶する。これにより、携帯電話機１２は、スイッチ設定情報を記憶していることになる。
【０１７５】
携帯電話機１２と車両用機能設定装置２１とが通信可能となる、すなわち、ユーザにより、携帯電話機１２が車両用機能設定装置２１に翳された場合、ステップＳ２３において、車両用機能設定装置２１は、電波を利用した無線通信により、認証情報要求を携帯電話機１２に送信する。
【０１７６】
携帯電話機１２は、ステップＳ４７において、車両用機能設定装置２１から送信される認証情報要求に基づいて、認証情報を取得し、ステップＳ４８において、電波を利用した無線通信により、その認証情報を車両用機能設定装置２１に送信する。
【０１７７】
ステップＳ２５において、車両用機能設定装置２１は、携帯電話機１２からの認証情報と、自分が記憶している携帯電話機１２に関係する認証情報とを比較することにより、認証の処理を行う。ステップＳ２６において、車両用機能設定装置２１は、認証の処理の結果に基づいて、携帯電話機１２が登録されている場合、電波を利用した無線通信により、スイッチ設定情報要求をその携帯電話機１２に送信する。
【０１７８】
携帯電話機１２は、ステップＳ４９において、車両用機能設定装置２１から送信されるスイッチ設定情報要求に基づいて、自分が記憶しているスイッチ設定情報を取得し、ステップＳ５０において、電波を利用した無線通信により、そのスイッチ設定情報を車両用機能設定装置２１に送信する。
【０１７９】
ステップＳ２７において、車両用機能設定装置２１は、携帯電話機１２から送信されるスイッチ設定情報を受信する。車両用機能設定装置２１は、ステップＳ２８において、受信したスイッチ設定情報に基づいて、スイッチ２２の機能の設定を制御するためのスイッチ制御情報を生成し、ステップＳ２９において、その生成したスイッチ制御情報を、車載LAN２１１を介して、スイッチ２２に出力する。
【０１８０】
スイッチ２２は、ステップＳ１１において、車載LAN２１１を介して車両用機能設定装置２１からのスイッチ制御情報を取得し、ステップＳ１２において、その取得したスイッチ制御情報に基づいて、自分の機能と、その機能を示している画面の表示を変更して、図９の車両機能設定システム１による処理は終了する。
【０１８１】
以上のようにして、車両機能設定システム１においては、携帯電話機１２は、ユーザからの指示に基づいて、スイッチ２２の機能を設定するためのスイッチ設定情報を生成し、車両用機能設定装置２１は、携帯電話機１２からのスイッチ設定情報に基づいて、スイッチ２２の機能の設定を制御するためのスイッチ制御情報を生成し、スイッチ２２は、車両用機能設定装置２１からのスイッチ制御情報に基づいて、ユーザに操作されたときに動作させる車載装置を指示するための機能と、その機能の内容を示す画面の表示を変更する。
【０１８２】
次に、車両機能設定システム１を構成する各装置、すなわち、携帯電話機１２、車両用機能設定装置２１、スイッチ２２、およびソフトウェア提供サーバ１７のそれぞれの装置が行う処理の詳細について説明する。
【０１８３】
また、ここでは、車両機能設定システム１を構成する各装置による、スイッチ２２の機能の設定と画面の表示を変更する処理の一例として、あるスイッチ（例えば、図８のスイッチ２２−１）に、サイドミラーを格納させるための機能が割り当てられているとき、そのスイッチに割り当てられている機能を、パワーウィンドウを動作させるための機能に変更して設定する処理を説明する。
【０１８４】
まず、図１０と図１１のフローチャートを参照して、図６の携帯電話機１２による、スイッチの設定変更の処理について説明する。
【０１８５】
制御部１２１は、ボタン１２２を介してユーザにより所定の操作が指示されたとき、図１０と図１１のフローチャートに示される処理を実行させる。
【０１８６】
ステップＳ７１において、制御部１２１は、ユーザの操作により、ボタン１２２から供給される操作信号に基づいて、車両１１の車種IDの取得が指示されたかを判定する。
【０１８７】
ステップＳ７１において、車種IDの取得が指示されていないと判定された場合、ステップＳ７１に戻り、ステップＳ７１の処理が繰り返される。すなわち、ユーザにより所定の操作が行われて、ステップＳ７１において、車種IDの取得が指示されたと判定されるまで、ステップＳ７１の処理が繰り返される。
【０１８８】
ステップＳ７１において、車種IDの取得が指示されたと判定された場合、ステップＳ７２において、制御部１２１は、ICタグ１１２の状態を監視することにより、ICタグ１１２と車両用機能設定装置２１との通信が可能であるかを判定する。
【０１８９】
ステップＳ７２において、車両用機能設定装置２１と通信ができないと判定された場合、ステップＳ７１に戻り、上述した処理が繰り返される。すなわち、ICタグ１１２と車両用機能設定装置２１との位置関係などが原因となり、それらが通信できないときには、車種ID要求を車両用機能設定装置２１に送信することができないので、車種IDの取得が指示されたとき、ステップＳ７２において、車両用機能設定装置２１と通信が可能となると判定されるまで、ステップＳ７１とステップＳ７２の処理が繰り返される。
【０１９０】
ステップＳ７２において、車両用機能設定装置２１との通信が可能である判定された場合、ステップＳ７３において、ICタグ１１２は、制御部１２１の制御に基づいて、電波を利用した無線通信により、車種ID要求を車両用機能設定装置２１に送信する。
【０１９１】
ステップＳ７４において、ICタグ１１２は、制御部１２１の制御に基づいて、電波を利用した無線通信により、車両用機能設定装置２１から車種IDを受信する。そして、ステップＳ７５において、制御部１２１は、車両用機能設定装置２１から受信した車種IDを、車種ID記憶部１２３に記憶させる。これにより、車種ID記憶部１２３には、車両１１の車種を示す車種IDが記憶される。
【０１９２】
ステップＳ７６において、制御部１２１は、ユーザの操作により、ボタン１２２から供給される操作信号に基づいて、スイッチ設定ソフトウェアのダウンロードが指示されたかを判定する。
【０１９３】
ステップＳ７６において、スイッチ設定ソフトウェアのダウンロードが指示されていないと判定された場合、ステップＳ７６に戻り、上述した処理が繰り返される。すなわち、ユーザにより所定の操作が行われて、ステップＳ７６において、スイッチ設定ソフトウェアのダウンロードが指示されたと判定されるまで、ステップＳ７６の処理が繰り返される。
【０１９４】
ステップＳ７６において、スイッチ設定ソフトウェアのダウンロードが指示されたと判定された場合、ステップＳ７７において、通信部１０６は、制御部１２１の制御に基づいて、ソフトウェア要求を、ネットワーク２０１を介して、ソフトウェア提供サーバ１７に送信する。なお、上述したように、ソフトウェア要求には、車種ID記憶部１２３に記憶されている車種IDが含まれている。
【０１９５】
ステップＳ７８において、通信部１０６は、制御部１２１の制御に基づいて、ネットワーク２０１を介して、ソフトウェア提供サーバ１７から送信されてくる、車両１１の車種IDに対応しているスイッチ設定ソフトウェアを受信する。これにより、携帯電話機１２は、ネットワーク２０１を介して、ソフトウェア提供サーバ１７から、スイッチ設定ソフトウェアをダウンロードしたことになる。また、携帯電話機１２は、ユーザからの指示に基づいて、スイッチ設定ソフトウェアを実行することができる。
【０１９６】
スイッチ設定ソフトウェアが実行されている場合、ステップＳ７９において、制御部１２１は、ユーザの操作により、ボタン１２２から供給される操作信号に基づいて、スイッチ２２の機能の設定が指示されたかを判定する。
【０１９７】
ステップＳ７９において、スイッチ２２の機能の設定が指示されていないと判定された場合、ステップＳ７９に戻り、上述した処理が繰り返される。すなわち、ユーザにより所定の操作が行われて、ステップＳ７９において、スイッチ２２の機能の設定が指示されたと判定されるまで、ステップＳ７９の処理が繰り返される。
【０１９８】
ステップＳ７９において、スイッチ２２の機能の設定が指示されたと判定された場合、ステップＳ８０において、スイッチ設定情報生成部１２５は、ユーザの指示により、スイッチ設定ソフトウェアにより実行される処理の結果に基づいて、スイッチ２２の設定に関係する情報であるスイッチ設定情報を生成する。
【０１９９】
例えば、制御部１２１は、ユーザの操作により、スイッチ設定ソフトウェアの実行が指示された場合、図１２に示すような画面３０１を、LCD１２４の画面に表示させる。画面３０１には、例えば、図８のスイッチ２２−１の機能を選択させるラジオボタンが表示されており、“パワーウィンドウ”と“サイドミラー格納”のいずれかが選択可能となる。そして、例えば、ユーザの操作により、“パワーウィンドウ”が選択されて、スイッチ２２−１の機能の設定を決定するボタン３１１が押下された場合、スイッチ設定情報生成部１２５は、スイッチ２２−１の機能を“パワーウィンドウ”に変更することを示すスイッチ設定情報を生成する。
【０２００】
なお、図１２のスイッチ２２−１の機能を設定するための画面は一例であり、その画面は、例えば、ラジオボタンの代わりに、リストボックスにより、スイッチ２２−１の機能を選択させるなど、スイッチ２２の機能を設定することができる画面であればよい。
【０２０１】
図１０のフローチャートに戻り、ステップＳ８１において、スイッチ設定情報生成部１２５は、生成したスイッチ設定情報を、スイッチ設定情報記憶部１２６に記憶させる。これにより、スイッチ設定情報記憶部１２６は、例えば、スイッチ２２−１の機能を“パワーウィンドウ”に変更することを示すスイッチ設定情報を記憶する。
【０２０２】
ステップＳ８２において、制御部１２１は、ICタグ１１２の状態を監視することにより、ICタグ１１２と車両用機能設定装置２１との通信が可能であるかを判定する。
【０２０３】
ステップＳ８２において、車両用機能設定装置２１と通信ができないと判定された場合、ステップＳ８２に戻り、上述した処理が繰り返される。このとき、スイッチ設定情報が記憶されている携帯電話機１２は、車両用機能設定装置２１に翳されていないので、ステップ８２において、車両用機能設定装置２１と通信が可能となる、すなわち、ユーザにより、携帯電話機１２が車両用機能設定装置２１に翳されたと判定されるまで、ステップＳ８２の処理が繰り返される。
【０２０４】
ステップＳ８２において、ユーザにより、携帯電話機１２が車両用機能設定装置２１に翳されて、車両用機能設定装置２１と通信が可能であると判定された場合、ステップＳ８３において、ICタグ１１２は、制御部１２１の制御に基づいて、電波を利用した無線通信により、車両用機能設定装置２１から送信されてくる認証情報要求を受信する。
【０２０５】
ステップＳ８４において、制御部１２１は、受信した認証情報要求に基づいて、認証情報記憶部１２７に記憶されている認証情報を取得する。ICタグ１１２は、制御部１２１の制御に基づいて、認証情報記憶部１２７から取得した認証情報を、電波を利用した無線通信により、車両用機能設定装置２１に送信する。
【０２０６】
ステップＳ８５において、制御部１２１は、ICタグ１１２の状態を監視することで、電波を利用した無線通信により、車両用機能設定装置２１からスイッチ設定情報要求を受信したかを判定する。
【０２０７】
ステップＳ８５において、スイッチ設定情報要求を受信していないと判定された場合、携帯電話機１２は、車両用機能設定装置２１から正当であると認証されなかったので、記憶しているスイッチ設定情報を車両用機能設定装置２１に送信せずに、ステップＳ８６とステップＳ８７の処理をスキップして、図６の携帯電話機１２による、スイッチの設定変更の処理は終了する。
【０２０８】
一方、ステップＳ８５において、スイッチ設定情報要求を受信したと判定された場合、携帯電話機１２は、車両用機能設定装置２１から正当であると認証されたので、ステップＳ８６において、制御部１２１は、受信したスイッチ設定情報要求に基づいて、スイッチ設定情報記憶部１２６に記憶されているスイッチ設定情報を取得する。
【０２０９】
ステップＳ８７において、ICタグ１１２は、制御部１２１の制御に基づいて、スイッチ設定情報記憶部１２６からのスイッチ設定情報を、電波を利用した無線通信により、車両用機能設定装置２１に送信して、図６の携帯電話機１２による、スイッチの設定変更の処理は終了する。これにより、例えば、携帯電話機１２は、スイッチ２２−１の機能を“パワーウィンドウ”に変更することを示すスイッチ設定情報を、電波を利用した無線通信により、車両用機能設定装置２１に送信したことになる。
【０２１０】
以上のようにして、携帯電話機１２は、ユーザの操作に基づいたスイッチ設定情報を生成し、そのスイッチ設定情報を、電波を利用した無線通信により、車両用機能設定装置２１に送信する。
【０２１１】
次に、図１３のフローチャートを参照して、図３の車両用機能設定装置２１による、スイッチの設定変更の処理について説明する。
【０２１２】
制御部５１は、例えば、ユーザによる携帯電話機１２の操作により、車種IDを取得するための所定の操作がされたとき、図１３のフローチャートに示される処理を実行させる。
【０２１３】
ステップＳ１０１において、制御部５１は、リーダライタ５２の状態を監視することにより、電波を利用した無線通信により、携帯電話機１２から車種ID要求を受信したかを判定する。
【０２１４】
ステップＳ１０１において、車種ID要求を受信していないと判定された場合、ステップＳ１０１に戻り、上述した処理が繰り返される。すなわち、ユーザにより車種IDを取得するための所定の操作がされ、さらに、携帯電話機１２が車両用機能設定装置２１に翳されることで、携帯電話機１２と通信可能となり、ステップＳ１０１において、車種ID要求を受信したと判定されるまで、ステップＳ１０１の処理が繰り返される。
【０２１５】
ステップＳ１０１において、車種ID要求を受信したと判定された場合、ステップＳ１０２において、制御部５１は、車種ID記憶部５３に記憶されている車両１１の車種IDを取得する。
【０２１６】
ステップＳ１０３において、リーダライタ５２は、制御部５１の制御に基づいて、電波を利用した無線通信により、車種ID記憶部５３から取得した車種IDを、携帯電話機１２に送信する。
【０２１７】
ステップＳ１０４において、制御部５１は、リーダライタ５２の状態を監視することにより、携帯電話機１２との通信が可能であるかを判定する。
【０２１８】
ステップＳ１０４において、携帯電話機１２との通信ができないと判定された場合、ステップＳ１０４に戻り、上述した処理が繰り返される。このとき、スイッチ設定情報が記憶されている携帯電話機１２は、車両用機能設定装置２１に翳されていないので、ステップＳ１０４において、携帯電話機１２と通信が可能である、すなわち、ユーザにより、携帯電話機１２が車両用機能設定装置２１に翳されたと判定されるまで、ステップＳ１０４の処理が繰り返される。
【０２１９】
ステップＳ１０４において、ユーザにより、携帯電話機１２が車両用機能設定装置２１に翳されて、携帯電話機１２と通信可能であると判定された場合、ステップＳ１０５において、リーダライタ５２は、制御部５１の制御に基づいて、電波を利用した無線通信により、認証情報要求を携帯電話機１２に送信する。
【０２２０】
ステップＳ１０６において、リーダライタ５２は、制御部５１の制御に基づいて、電波を利用した無線通信により、携帯電話機１２から送信される認証情報を受信する。ステップＳ１０７において、認証処理部５４は、携帯電話機１２から受信した認証情報に基づいて、認証の処理を行う。
【０２２１】
具体的には、認証処理部５４には、制御部５１からの携帯電話機１２より受信した認証情報と、認証情報記憶部５５からの認証情報が供給される。認証処理部５４は、それらの認証情報に基づいて、認証の処理を行い、認証の結果を制御部５１に供給する。
【０２２２】
ステップＳ１０８において、制御部５１は、認証処理部５４からの認証の結果に基づいて、認証情報を送信してきた携帯電話機１２は、登録されている携帯電話機であるかを判定する。
【０２２３】
ステップＳ１０８において、登録されている携帯電話機ではないと判定された場合、ステップＳ１１５において、制御部５１は、認証に失敗したことを示すメッセージをLCD５６の画面に表示させて、図３の車両用機能設定装置２１による、スイッチの設定変更の処理は終了する。これにより、登録されていない携帯電話機からスイッチ設定情報を取得して、そのスイッチ設定情報をスイッチ２２に設定することがなくなるので、安全に、スイッチ２２の機能を設定することができる。
【０２２４】
一方、ステップＳ１０８において、登録されている携帯電話機であると判定された場合、ステップＳ１０９において、制御部５１は、認証に成功したことを示すメッセージをLCD５６の画面に表示させる。
【０２２５】
なお、ステップＳ１０９またはステップＳ１１５の処理において、認証の結果は、LCD５６の画面に表示させる以外に、例えば、音声出力部３７により、音声を出力して、ユーザに通知するようにしてもよい。
【０２２６】
ステップＳ１１０において、リーダライタ５２は、制御部５１の制御に基づいて、電波を利用した無線通信により、スイッチ設定情報要求を、登録されていると判定された携帯電話機１２に送信する。そして、ステップＳ１１１において、リーダライタ５２は、制御部５１の制御に基づいて、電波を利用した無線通信により、携帯電話機１２から送信されるスイッチ設定情報を受信する。
【０２２７】
ステップＳ１１２において、スイッチ制御情報生成部５７は、携帯電話機１２から受信したスイッチ設定情報に基づいて、スイッチ２２を制御するためのスイッチ制御情報を生成する。例えば、スイッチ制御情報生成部５７は、携帯電話機１２から受信したスイッチ設定情報であって、スイッチ２２−１の機能を“パワーウィンドウ”に変更することを示すスイッチ設定情報に基づいて、スイッチ２２−１の機能を“パワーウィンドウ”に変更させるためのスイッチ制御情報を生成する。
【０２２８】
ステップＳ１１３において、インターフェース５８は、スイッチ制御情報生成部５７により生成されたスイッチ制御情報を、車載LAN２１１を介して、スイッチ２２に出力する。例えば、インターフェース５８は、スイッチ２２−１の機能を“パワーウィンドウ”に変更させるスイッチ制御情報を、車載LAN２１１を介して、スイッチ２２−１に供給する。
【０２２９】
ステップＳ１１４において、制御部５１は、スイッチ制御情報生成部５７とインターフェース５８の状態を監視することにより、スイッチ２２の設定変更が終了した場合、スイッチ２２の設定変更が完了したことを示すメッセージをLCD５６の画面に表示させて、図３の車両用機能設定装置２１による、スイッチの設定変更の処理は終了する。
【０２３０】
なお、スイッチ２２の設定が完了したことを示す方法は、例えば、音声出力部３７から音声を出力したり、ナビゲーション装置などの他の車載装置の画面にそのメッセージを表示させたりしてもよい。また、車両用機能設定装置２１が、電波を利用した無線通信により、携帯電話機１２にそのメッセージを通知することにより、例えば、スピーカ１１１から音声を出力したり、表示部１０８の画面にそのメッセージを表示させるなどして完了を通知してもよい。
【０２３１】
以上のようにして、車両用機能設定装置２１は、携帯電話機１２から受信したスイッチ設定情報に基づいたスイッチ制御情報を、車載LAN２１１を介して、スイッチ２２に出力する。その結果、車両用機能設定装置２１は、車載LAN２１１を介して、スイッチ２２を制御することができる。
【０２３２】
次に、図１４のフローチャートを参照して、図４のスイッチ２２による、スイッチの設定変更の処理について説明する。
【０２３３】
ステップＳ１３１において、制御部７１は、インターフェース７２の状態を監視することにより、車載LAN２１１を介して、車両用機能設定装置２１からスイッチ制御情報が入力されたかを判定する。
【０２３４】
ステップＳ１３１において、スイッチ制御情報が入力されていないと判定された場合、ステップＳ１３１に戻り、上述した処理が繰り返される。すなわち、ユーザによりスイッチ２２−１の機能の設定変更が指示されたとき、車両用機能設定装置２１からスイッチ制御情報が入力されるので、ユーザによりスイッチ２２−１の機能の設定変更が指示され、ステップＳ１３１において、スイッチ制御情報が入力されたと判定されるまで、ステップＳ１３１の処理が繰り返される。
【０２３５】
なお、ユーザによりスイッチ２２−１の機能の設定変更が指示されるよりも前、すなわち、ステップＳ１３１の処理が繰り返されている場合、スイッチ２２−１では、LCD７４の画面は、例えば、図１５Ａに示すように、“サイドミラー格納”を表示し、スイッチ機能設定部７５により設定されている機能は、ユーザによりスイッチ２２−１のボタン７６が操作されたとき、サイドミラーの格納を指示する操作信号を、車載LAN２１１を介して、サイドミラー機構を制御するサイドミラー制御装置（図示せず）に出力する機能を有している。これにより、ユーザにより、スイッチ２２−１のボタン７６が押下されると（すなわち、図１５Ａの“サイドミラー格納”を表示しているLCD７４の画面の表面が押下されると）、車両１１では、サイドミラーを格納する動作が行われることになる。
【０２３６】
ステップＳ１３１において、スイッチ制御情報が入力されたと判定された場合、ステップＳ１３２において、スイッチ機能設定部７５は、インターフェース７２および制御部７１を介して、車載LAN２１１に接続された車両用機能設定装置２１から供給されるスイッチ制御信号に基づいて、スイッチ２２の機能の設定を変更して、図４のスイッチ２２による、スイッチの設定変更の処理は終了する。例えば、スイッチ２２−１のスイッチ機能設定部７５は、車両用機能設定装置２１からの、スイッチ２２−１の機能を“パワーウィンドウ”に変更することを示すスイッチ制御情報に基づいて、スイッチ２２−１の機能を“パワーウィンドウ”に設定する。
【０２３７】
ステップＳ１３３において、表示制御部７３は、インターフェース７２および制御部７１を介して、車載LAN２１１に接続された車両用機能設定装置２１から供給されるスイッチ制御信号に基づいて、LCD７４の画面の表示を変更させる。例えば、スイッチ２２−１の表示制御部７３は、LCD７４の画面の表示を、図１５Ａの“サイドミラー格納”から、図１５Ｂの“パワーウィンドウ”に変わるようにLCD７４の画面の表示を制御する。
【０２３８】
すなわち、例えば、スイッチ２２−１の制御部７１は、ボタン７６からの操作信号と、スイッチ機能設定部７５により設定された、“パワーウィンドウ”であるスイッチ２２−１の機能に基づいて、“パワーウィンドウ”を動作させるための操作信号を、インターフェース７２を介して、車載LAN２１１に接続されたパワーウィンドウ制御装置（図示せず）に供給する。これにより、ユーザによりスイッチ２２−１のボタン７６が押下されると（すなわち、図１５Ｂの“パワーウィンドウ”を表示しているLCD７４の画面の表面が押下されると）、車両１１では、パワーウィンドウが動作することになる。
【０２３９】
以上のようにして、スイッチ２２は、車両用機能設定装置２１から供給されるスイッチ制御情報に基づいて、ユーザにより操作されたときに動作させる車載装置を指示するための機能と、その機能を示している画面の表示を変更する。例えば、スイッチ２２−１は、車両用機能設定装置２１から供給されるスイッチ制御情報に基づいて、スイッチ機能設定部７５により設定される機能を、“サイドミラー格納”から“パワーウィンドウ”を動作させる機能に変更し、また、LCD７４の画面の表示を“サイドミラー格納”から“パワーウィンドウ”に変更する。
【０２４０】
なお、上述した例では、スイッチ２２の機能を“サイドミラー格納”から“パワーウィンドウ”に変更する動作を例にして説明したが、本実施の形態では、それに限定されず、スイッチ２２の機能として、例えば、車内の空調を調節する機能である“エアコン”や、サイドミラーなどのミラー機能を制御する機能である“オートミラー”など、車両１１に設けられているスイッチ２２により動作を指示できる機能であればよい。具体的には、例えば、ハンドルに設けられているシフトチェンジボタンを、オーディオの音量のスイッチに変更することができる。
【０２４１】
また、スイッチ２２に設定されている内容を確認する場合、例えば、ユーザにより所定の操作がされている携帯電話機１２が車両用機能設定装置２１に翳されたとき、車両用機能設定装置２１は、スイッチ２２からスイッチ制御情報を取得し、そのスイッチ制御情報に基づいた情報を、例えば、LCD５６の画面に表示する。これにより、ユーザは、LCD５６の画面に表示されたスイッチ２２に設定されている内容を確認することができる。
【０２４２】
次に、図１６のフローチャートを参照して、図７のソフトウェア提供サーバ１７による、ソフトウェア提供の処理について説明する。
【０２４３】
ステップＳ１５１において、CPU１５１は、通信部１５９を制御して、ネットワーク２０１を介して、携帯電話機１２からソフトウェア要求を受信したかを判定する。
【０２４４】
ステップＳ１５１において、ソフトウェア要求を受信していないと判定された場合、ステップＳ１５１に戻り、上述した処理が繰り返される。すなわち、ネットワーク２０１を介して、携帯電話機１２からソフトウェア要求が送信され、ステップＳ１５１において、ソフトウェア要求を受信したと判定されるまで、ステップＳ１５１の処理が繰り返される。
【０２４５】
ステップＳ１５１において、ソフトウェア要求を受信したと判定された場合、ステップＳ１５１において、CPU１５１は、記録部１５８から、受信したソフトウェア要求に含まれる車種IDに対応したスイッチ設定ソフトウェアを取得する。
【０２４６】
ステップＳ１５２において、CPU１５１は、通信部１５９を制御して、取得したスイッチ設定ソフトウェアを、ネットワーク２０１を介して、携帯電話機１２に送信させて、図７のソフトウェア提供サーバ１７による、ソフトウェア提供の処理を終了する。これにより、携帯電話機１２は、車両１１の車種に対応したスイッチ設定ソフトウェアをダウンロードすることができる。
【０２４７】
以上のようにして、ソフトウェア提供サーバ１７は、携帯電話機１２から送信されるソフトウェア要求に基づいて、そのソフトウェア要求に含まれる車種IDに対応するスイッチ設定ソフトウェアを、ネットワーク２０１を介して、携帯電話機１２に送信する。
【０２４８】
ところで、上述した例においては、入力装置として、スイッチ２２を説明したが、本実施の形態では、それに限らず、例えば、図１７を参照して後述するレバー３５１など、車両１１に設けられた車載装置（図示せず）の動作を指示することのできる装置であればよい。すなわち、図１の車両機能設定システムにおいて、このレバー３５１は、車両１１に設けられたスイッチ２２の代わりに、車両用機能設定装置２１と接続するようにして設けられる。
【０２４９】
図１７は、本発明を適用した入力装置としてのレバー３５１の機能的構成を示すブロック図である。
【０２５０】
なお、図１７のレバー３５１は、上述した図４を参照して説明したスイッチ２２と基本的に同様の機能を有するので、図４に示す場合と同様の部分には、同一の符号が付してあり、その説明は繰り返しになるので適宜省略する。すなわち、図１７のレバー３５１は、図４のスイッチ２２と比較して、ボタン７６の代わりに、レバー３６１が設けられている。
【０２５１】
レバー３５１は、車載LAN２１１を介して車両用機能設定装置２１から供給されるスイッチ制御信号に基づいて、自分の機能と、その機能を示す画面の表示を変更する。レバー３５１は、ユーザによる操作に基づいて、各種の機能の動作を指示するための操作信号を、車載LAN２１１を介して、その機能を実現するための車載装置（図示せず）に出力する。
【０２５２】
レバー３５１は、制御部７１、インターフェース７２、表示制御部７３、LCD７４、スイッチ機能設定部７５、およびレバー３６１を含むようにして構成される。
【０２５３】
レバー３６１は、ユーザにより操作された場合、その操作に対応する操作信号を制御部７１に供給する。
【０２５４】
制御部７１は、図４のボタン７６と同様に、レバー３６１から供給される操作信号と、スイッチ機能設定部７５により設定されたレバー３５１の機能に基づいて、レバー３５１の機能に対応した動作を指示するための操作信号を、インターフェース７２を介して、車載LAN２１１に接続されたその機能を実現するための車載装置（図示せず）に出力する。
【０２５５】
例えば、制御部７１は、レバー３６１からの操作信号と、スイッチ機能設定部７５により設定された“ウィンカー”であるレバー３５１の機能に基づいて、“ウィンカー”を動作させるための操作信号を、インターフェース７２を介して、車載LAN２１１に接続されている、レバー操作によりウィンカー機構を制御するウィンカー制御装置（図示せず）に供給する。これにより、ユーザによりレバー３６１が操作されると、車両１１のウィンカーが動作することになる。
【０２５６】
なお、レバー３６１の動作は、図１４を参照して上述した、図４のスイッチ２２よる、スイッチの設定変更の処理と同様であるので、その説明は省略する。
【０２５７】
次に、図１８を参照して、レバー３５１の機能と、その機能を表示する画面について説明する。
【０２５８】
レバー３５１において、“ウィンカー”である機能が割り当てられているとき、レバー３５１のLCD７４の画面は、図１８Ａに示すように、その機能の内容を示すために“ウィンカー”である文字（画像）を表示する。このとき、ユーザにより、例えば、“ウィンカー”から“ワイパー”に、レバー３５１の機能の設定変更をするための所定の操作がされた場合、携帯電話機１２と車両用機能設定装置２１は、図１のスイッチ２２の機能の設定変更と同様に、上述したような、各種の処理を実行する。
【０２５９】
その結果、図１８Ｂに示すように、レバー３５１には、“ワイパー”である機能が割り当てられ、レバー３５１のLCD７４の画面は、その機能の内容を示すために“ワイパー”である文字（画像）を表示する。これにより、ユーザによりレバー３６１が操作されると、車両１１のワイパーが動作することになる。
【０２６０】
このように、レバー３５１は、スイッチ２２と同様に、車両用機能設定装置２１から供給されるスイッチ制御情報に基づいて、ユーザにより操作されたときに動作させる車載装置を指示するための機能と、その機能を示している画面の表示を変更する。
【０２６１】
なお、本実施の形態では、スイッチ２２とレバー３５１について説明したが、それ以外に、例えば、ユーザにより手が翳されると反応するセンサが設けられたスイッチなど、車両１１に設けられた各種の車載装置の動作を指示することのできる装置であればよい。
【０２６２】
以上のように、車両を利用するユーザの利便性を高めることができる。また、特に、ユーザが車両のスイッチを使用するときの利便性を向上させることができる。
【０２６３】
また、スイッチの機能を自由に変更することにより、最低限の数のスイッチを設けるようにすればよいので、車内のスペースを有効に活用することができ、より自由度の高いデザインで車内の設計をすることができる。
【０２６４】
なお、以上の説明では、車両機能設定システム１の端末として携帯電話機１２を用いる例を示したが、実施の形態では、携帯情報端末（Personal Digital Assistants）、時計、コンピュータ、リモートコントローラ、ページャ、ゲーム機器、マルチメディア端末、携帯用オーディオ機器など、近接通信機能を搭載することができる携帯可能な装置を用いるようにすることもできる。
【０２６５】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０２６６】
図１９は、上述した一連の処理をプログラムにより実行するパーソナルコンピュータの構成の例を示すブロック図である。CPU４１１は、ROM４１２、または記録部４１８に記録されているプログラムに従って各種の処理を実行する。RAM４１３には、CPU４１１が実行するプログラムやデータなどが適宜記憶される。これらのCPU４１１、ROM４１２、およびRAM４１３は、バス４１４により相互に接続されている。
【０２６７】
CPU４１１にはまた、バス４１４を介して入出力インターフェース４１５が接続されている。入出力インターフェース４１５には、マイクロフォンなどよりなる入力部４１６、ディスプレイ、スピーカなどよりなる出力部４１７が接続されている。CPU４１１は、入力部４１６から入力される指令に対応して各種の処理を実行する。そして、CPU４１１は、処理の結果を出力部４１７に出力する。
【０２６８】
入出力インターフェース４１５に接続されている記録部４１８は、例えばハードディスクからなり、CPU４１１が実行するプログラムや各種のデータを記録する。通信部４１９は、インターネットやローカルエリアネットワークなどのネットワークを介して外部の装置と通信する。
【０２６９】
また、通信部４１９を介してプログラムを取得し、記録部４１８に記録してもよい。
【０２７０】
入出力インターフェース４１５に接続されているドライブ４２０は、磁気ディスク、光ディスク、光磁気ディスク、或いは半導体メモリなどのリムーバブルメディア４２１が装着されたとき、それらを駆動し、そこに記録されているプログラムやデータなどを取得する。取得されたプログラムやデータは、必要に応じて記録部４１８に転送され、記録される。
【０２７１】
コンピュータにインストールされ、コンピュータによって実行可能な状態とされるプログラムを格納するプログラム記録媒体は、図１９に示すように、磁気ディスク（フレキシブルディスクを含む）、光ディスク（CD-ROM,DVDを含む）、光磁気ディスク、もしくは半導体メモリなどよりなるパッケージメディアであるリムーバブルメディア４２１、または、プログラムが一時的もしくは永続的に格納されるROM４１２や、記録部４１８を構成するハードディスクなどにより構成される。プログラム記録媒体へのプログラムの格納は、必要に応じてルータ、モデムなどのインターフェースである通信部４１９を介して、ローカルエリアネットワーク、インターネット、デジタル衛星放送といった、有線または無線の通信媒体を利用して行われる。
【０２７２】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２７３】
また、本明細書において、システムとは、複数の装置により構成される装置全体を表すものである。
【０２７４】
さらに、本発明の実施の形態は、上述した実施の形態に限定されるものではなく、本発明の要旨を逸脱しない範囲において種々の変更が可能である。
【図面の簡単な説明】
【０２７５】
【図１】本発明を適用した情報処理システムとしての車両機能設定システムの一実施の形態の構成を示すブロック図である。
【図２】本発明を適用した情報処理装置としての車両用機能設定装置のハードウェア構成の例を示すブロック図である。
【図３】車両用機能設定装置の機能的構成を示すブロック図である。
【図４】本発明を適用した入力装置としてのスイッチの機能的構成を示すブロック図である。
【図５】携帯電話機のハードウェア構成の例を示すブロック図である。
【図６】携帯電話機の機能的構成の例を示すブロック図である。
【図７】ソフトウェア提供サーバの構成を示すブロック図である。
【図８】本発明を適用した車両機能設定システムの原理的構成を説明する図である。
【図９】車両機能設定システムの全体の処理の概要を説明するフローチャートである。
【図１０】図６の携帯電話機による、スイッチの設定変更の処理について説明するフローチャートである。
【図１１】図６の携帯電話機による、スイッチの設定変更の処理について説明するフローチャートである。
【図１２】携帯電話機のLCDの画面を示す図である。
【図１３】図３の車両用機能設定装置による、スイッチの設定変更の処理について説明するフローチャートである。
【図１４】図４のスイッチによる、スイッチの設定変更の処理について説明するフローチャートである。
【図１５】スイッチの機能と、その機能を表示する画面について説明する図である。
【図１６】図７のソフトウェア提供サーバによる、ソフトウェア提供の処理について説明するフローチャートである。
【図１７】本発明を適用した入力装置としてのレバーの機能的構成を示すブロック図である。
【図１８】レバーの機能と、その機能を表示する画面について説明する図である。
【図１９】パーソナルコンピュータの構成を示すブロック図である。
【符号の説明】
【０２７６】
１  車両機能設定システム
１２  携帯電話機
１７  ソフトウェア提供サーバ
２１  車両用機能設定装置
２２−１乃至２２−Ｎおよび２２  スイッチ
５１  制御部
５２  リーダライタ
５３  車種ID記憶部
５４  認証処理部
５５  認証情報記憶部
５６  LCD
５７  スイッチ制御情報生成部
５８  インターフェース
７１  制御部
７２  インターフェース
７３  表示制御部
７４  LCD
７５  スイッチ機能設定部
７６  ボタン
１０６  通信部
１１２  ICタグ
１２１  制御部
１２２  ボタン
１２３  車種ID記憶部
１２４  LCD
１２５  スイッチ設定情報生成部
１２６  スイッチ設定情報記憶部
１２７  認証情報記憶部
２０１  ネットワーク
２１１  車載LAN
３５１  レバー
３６１  レバー
【図１】
2007251559.tif 000003
【図２】
2007251559.tif 000004
【図３】
2007251559.tif 000005
【図４】
2007251559.tif 000006
【図５】
2007251559.tif 000007
【図６】
2007251559.tif 000008
【図７】
2007251559.tif 000009
【図８】
2007251559.tif 000010
【図９】
2007251559.tif 000011
【図１０】
2007251559.tif 000012
【図１１】
2007251559.tif 000013
【図１２】
2007251559.tif 000014
【図１３】
2007251559.tif 000015
【図１４】
2007251559.tif 000016
【図１５】
2007251559.tif 000017
【図１６】
2007251559.tif 000018
【図１７】
2007251559.tif 000019
【図１８】
2007251559.tif 000020
【図１９】
2007251559.tif 000021